(57)【特許請求の範囲】
【請求項１】
打球面、クラウン、ソール、ヒール、およびトウを規定するボディと、
水平に対して45度より大きな角度をなすシャフトアダプタ軸を伴う該ボディに操作可能に接続されかつ該シャフトアダプタ軸周りで回転可能なシャフトアダプタを有する、調節部材と
を含むゴルフクラブヘッドであって、
該ボディに関連するロフト角を該調節部材が第一の複数の位置の間で独立して調節し、かつ該ボディに関連するフェース角を該調節部材が第二の複数の位置の間で独立して調節するように、該ボディおよび該調節部材が構造化され、
該ロフト角および該フェース角の調節に応答して、該ボディに関連する、該ゴルフクラブヘッドの重心の場所、フェース中心の場所、ソール接触点の場所の一つであるパラメータが所定の公差の範囲内で一定にとどまり、さらに、
該フェース角を調節することは該ロフト角の調節と実効上独立しており、かつ、該ロフト角を調節することは該フェース角の調節と実効上独立している、
ゴルフクラブヘッド。
【請求項２】
ロフト角が1度の増加単位の複数の位置の間で調節される、請求項1記載のゴルフクラブヘッド。
【請求項３】
ロフト角が8.5度から12.5度まで調節可能である、請求項2記載のゴルフクラブヘッド。
【請求項４】
フェース角が、ニュートラル位置、オープン位置、およびクローズド位置から調節可能である、請求項1記載のゴルフクラブヘッド。
【請求項５】
ソール接触点の該場所の所定の公差が、基準ソール接触点から約4mmである、請求項1記載のゴルフクラブヘッド。
【請求項６】
重心の該場所の所定の公差が、基準重心から約3mmである、請求項1記載のゴルフクラブヘッド。
【請求項７】
フェース中心の該場所の所定の公差が、基準フェース中心から約3mmである、請求項1記載のゴルフクラブヘッド。
【請求項８】
シニア（A）フレックス、レギュラー（R）フレックス、スティッフ（S）フレックス、またはエクストラスティッフ（X）フレックスからなる群より選択される、ゴルフクラブヘッドに接続されたシャフトをさらに含む、請求項1記載のゴルフクラブヘッド。
【請求項９】
打球面、クラウン、ソール、ヒール、およびトウを規定するボディと、
水平に対して45度より大きな角度をなすシャフトアダプタ軸を伴う該ボディに操作可能に接続されかつ該シャフトアダプタ軸周りで回転可能なシャフトアダプタを有する、調節部材と
を含むゴルフクラブヘッドであって、
該ボディのロフト角を該調節部材が複数のロフト角の間で調節し、かつ該ボディのフェース角を該調節部材が複数のフェース角の間で調節するように、該ボディおよび該調節部材が構造化され、
該ロフト角および該フェース角の調節に応答して、該ボディに関連するパラメータが所定の公差の範囲内で一定にとどまり、
該パラメータが、X軸、Y軸、またはZ軸のいずれか一つの軸周りのゴルフクラブヘッドの慣性モーメントであり、さらに、
該フェース角を調節することは該ロフト角の調節と実効上独立しており、かつ、該ロフト角を調節することは該フェース角の調節と実効上独立している、
ゴルフクラブヘッド。
【請求項１０】
ロフト角が、8.5度から12.5度まで1度の増加単位で調節される、請求項9記載のゴルフクラブヘッド。
【請求項１１】
フェース角が、ニュートラル位置、クローズド位置、およびオープン位置の間で調節される、請求項9記載のゴルフクラブヘッド。
【請求項１２】
慣性モーメントの所定の公差が、基準慣性モーメントから約10.0KG-mmである、請求項9記載のゴルフクラブヘッド。
【請求項１３】
シニア（A）フレックス、レギュラー（R）フレックス、スティッフ（S）フレックス、またはエクストラスティッフ（X）フレックスからなる群より選択される、ゴルフクラブヘッドに接続されたシャフトをさらに含む、請求項9記載のゴルフクラブヘッド。
【請求項１４】
打球面、クラウン、ソール、ヒール、およびトウを規定するボディを含む、ゴルフクラブヘッドと、
水平に対して45度より大きな角度をなすシャフトアダプタ軸を伴う該ボディに操作可能に接続されかつ該シャフトアダプタ軸周りで回転可能なシャフトアダプタを有する、調節部材と、
該ゴルフクラブヘッドに接続されたシャフトと
を含むゴルフクラブであって、
該クラブヘッドのロフト角を該調節部材が複数のロフト角の間で独立して調節し、かつ該クラブヘッドのフェース角を該調節部材が複数のフェース角の間で独立して調節するように、該ボディおよび該調節部材が構造化され、
該ロフト角および該フェース角の調節に応答して、該ボディに関連する一つまたは複数のパラメータが所定の公差の範囲内で一定にとどまり、
第一のパラメータが該ゴルフクラブヘッドの重心の場所として規定され、重心の該場所の所定の公差が、基準重心から約3mmであり、
第二のパラメータが該ゴルフクラブヘッドのフェース中心の場所として規定され、フェース中心の該場所の所定の公差が、基準フェース中心から約3mmであり、かつ
第三のパラメータがX軸、Y軸、またはZ軸のいずれか一つの軸周りの該ゴルフクラブヘッドの慣性モーメントとして規定され、慣性モーメントの所定の公差が、基準慣性モーメントから約10.0KG-mmであり、さらに、
該フェース角を調節することは該ロフト角の調節と実効上独立しており、かつ、該ロフト角を調節することは該フェース角の調節と実効上独立している、
ゴルフクラブ。
【請求項１５】
さらに、シャフトがシニア（A）フレックス、レギュラー（R）フレックス、スティッフ（S）フレックス、またはエクストラスティッフ（X）フレックスからなる群より選択される、請求項14記載のゴルフクラブ。
【発明の詳細な説明】
【技術分野】
【０００１】
関連出願
本出願は、2012年5月31日出願の米国特許出願第61/654,070号の恩典を主張する2012年10月31日出願の米国特許出願第13/665,792号の部分継続出願であり、これらの出願は参照により本明細書に組み入れられ、本明細書の一部をなす。
【０００２】
発明の分野
本発明は概して、ゴルフクラブ、ゴルフクラブヘッド、ゴルフクラブシャフト、ならびに関連するシステムおよび方法に関する。より詳しくは、本発明の局面は、向上したゴルフクラブ構造およびゴルフクラブ供給管理を提供するゴルフクラブシステムおよび方法に関する。
【背景技術】
【０００３】
背景
ゴルフクラブは、ゴルフゲームにおける使用に関して当業者において周知である。通常、ゴルフクラブアセンブリはゴルフクラブヘッド、シャフト、およびグリップを含む。相当量の研究および開発が、ゴルフクラブのパフォーマンス特性を改善すること、およびさらなる向上した特徴を実現することに向けられてきた。特定の特徴としては、ゴルファーが個々の嗜好およびパフォーマンスニーズに合わせてゴルフクラブを改変することを可能にする、ゴルフクラブアセンブリの様々な部分に関連する調節が挙げられる。一般に、そのような特徴を組み込むゴルフクラブは、調節可能なゴルフクラブと呼ばれる。
【０００４】
公知の調節可能なゴルフクラブはいくつかの利点をゴルファーに提供しうるが、それでもなお限界があり、多くの場合、提供される利点に伴ってパフォーマンスが損なわれる。さらに、ゴルファーが使用する様々な異なるゴルフクラブタイプに調節機構を組み込むことで、製造業者および小売の在庫は拡大を続けたが、同時に、特定のゴルフクラブ構成の入手可能性に限りがあること、および他のゴルフクラブ構成の供給過剰を例とする、供給上の問題が発生した。同時に、各ゴルフクラブモデルおよびタイプについてフルラインのクラブ構成を供給するために製造しなければならない最小在庫管理単位（SKU）の数も拡大を続けるようになった。このことがゴルフクラブ製造の費用および複雑さを増大させたというだけではなく、圧倒的に多様なオプションによって、一部のゴルファーは個々のパフォーマンスニーズに応じて正確なクラブ構成を選択することがさらに困難になった。さらに、調節機構に関連する費用の増大によって、相当な数のゴルファーにとっては調節可能なゴルフクラブの入手可能性が限られたものになった。本発明は、公知のゴルフクラブ、ならびにゴルフクラブを製造および供給する現行の方法のこれらの限界および他の欠点を克服することを目的とする。さらに、本発明は、ゴルファー、ゴルフクラブフィッターおよびゴルフクラブ提供業者にはこれまで利用可能でなかった新規特徴を提供する。
【発明の概要】
【０００５】
概要
以下、本発明およびその様々な特徴の基本的理解を提供するために、本発明の局面の概要を提示する。この概要は本発明の範囲を限定することを決して意図したものではなく、以下の詳細な説明についての一般的な概観および文脈を単に提供するだけである。
【０００６】
概して、本発明の局面は、ゴルフクラブ構成を変化させるためにゴルフクラブパラメータを容易に調節可能にしかつ／またはゴルフクラブコンポーネントを容易に交換可能にする調節部材を組み込んだゴルフクラブまたはゴルフクラブコンポーネントと、ゴルフクラブを提供するための方法とに関する。クラブ構成は、調節可能なまたは「デザインインされた」、各モデルについて利用可能なオプションの一つの順列、たとえば、ロフト＋フェース角＋ライ角＋シャフトフレックスおよびシャフト構成として規定されうる。本発明の局面によれば、クラブもしくはクラブヘッドの他の変数、パラメータ、または特性に実質的に変化がないことを確実にしながら、ゴルフクラブ構成を変化させるために、ゴルフクラブパラメータを調節可能にするために調節部材を利用することができる。本発明の別の局面によれば、クラブもしくはクラブヘッドの他の変数、パラメータ、または特性に実質的に変化がないことを確実にしながら、ゴルフクラブ構成を変化させるために、二つのゴルフクラブパラメータを独立して調節可能にするために調節部材を利用することができる。
【０００７】
本発明の局面によれば、ゴルフクラブにベース構成を設けることができる。ゴルフクラブはシャフト、グリップ、およびゴルフクラブヘッドを含みうる。ゴルフクラブは、基準位置に向く際に、ベースロフト角、ベースライ角、ベースフェース角、ベース重心の場所、ベース慣性モーメントなどの、ベースパラメータまたはベース特性のセットを有しうる。ゴルフクラブは、ユーザーが一つもしくは複数のパラメータまたは特性を他のパラメータまたは特性とは独立に変化させることを可能にする調節部材を含みうる。ゴルフクラブヘッドは、クラブもしくはクラブヘッドの特定のパフォーマンス変数、パフォーマンスパラメータ、またはパフォーマンス特性に実質的に変化がないこと、および／あるいは他のパフォーマンス変数、パフォーマンスパラメータ、またはパフォーマンス特性に特定の変化があることを確実にする、設計局面を組み込むことができる。
【０００８】
さらに、本発明の別の局面は、本発明の例の調節部材を使用してゴルフクラブを組み立てる方法に関しうる。そのような方法は（a）少なくとも第一のベースパラメータを有するゴルフクラブヘッドを（たとえばそれを製造すること、第三者の供給源から得ることなどにより）設ける工程、（b）第一のベースパラメータ値から一つもしくは複数の代替値に第一のベースパラメータを実質的に独立して調節することを可能にする少なくとも一つの調節部材を生成する工程、（c）クラブヘッドに操作可能に結合し、調節を実現するために協働面を利用可能である調節部材をヘッドに（たとえばセメントもしくは接着剤を経由して、他の融着技術もしくは機械固定技術を経由して、または解放可能に、など）係合させる工程、（d）シャフトおよびグリップをゴルフクラブヘッドおよび／または調節部材に係合させる工程を含むことができ、工程（a）〜（d）は再構成可能な第一のゴルフクラブを生成し、このゴルフクラブによって、第二のゴルフクラブを生成するために第二のベースパラメータ値を有する少なくとも一つの他のゴルフクラブヘッドを設ける必要がなくなる。
【０００９】
本発明のさらなる例示的局面として、本明細書に記載のゴルフクラブの購入者に小売段階でオプションの包括的な選択肢を提供することができ、ゴルフクラブを提供する小売業者は提供した選択肢について減少した量の在庫を維持することができる。小売業者は、購入用のゴルフクラブヘッドおよび販売用のシャフトアセンブリ、ならびに完全なゴルフクラブを提供することができる。シャフトアセンブリはたとえば四つの異なるフレックスレーティング、たとえばシニア（A）フレックス、レギュラー（R）フレックス、スティッフ（S）フレックス、またはエクストラスティッフ（X）フレックス、および単一のロフト（たとえば10.5度のベースロフト）で提供することができる。従来、小売業者は、提供される各シャフトフレックスについて複数のロフト、たとえば8.5度、9.5度、10.5度、11.5度、および12.5度の在庫を抱える必要があったと考えられる。たとえば、小売業者は、購入者に対する十分な供給を確実にするために特定のゴルフクラブモデルに利用可能な各シャフトフレックスおよびロフトの25個の単位を任意の所与の時点で手元に置いておこうとすることがあり、約500種の従来のゴルフクラブの在庫を維持することが必要なことがある。本明細書において教示される原理を組み込んだ販売用ゴルフクラブを提供することで、小売業者は、約100種の組立ゴルフクラブの在庫しか抱える必要がなくなるであろうし、ここでは、調節部材によってゴルフクラブがベースロフトから所望の残りのロフトに（たとえば10.5度から8.5度、9.5度、11.5度、または12.5度に）調節されるであろう一方で、他のクラブまたはクラブヘッドパラメータは特定の範囲内で実質的に一定にとどまる。在庫がこうして減少することで、小売業者が任意の所与の時点で十分な在庫を手元に置いておくために購入することが必要であろうゴルフクラブの数が劇的に減少し、これによって浮いたキャッシュフローは他に投資することができる。さらに、在庫の減少により、保管空間の要件が劇的に減少して、固定費が著しく減少するであろう。さらに、在庫の減少により、後に割引販売しなければならないかまたはロスにさえならざるをえない、シーズンの終わりの販売不可能な製品またはゴルフクラブを抱える可能性が減少する。
【００１０】
本発明のさらなる局面は、打球面、クラウン、ソール、ヒール、トウ、および背面を規定するボディと、ボディに操作可能に接続された調節部材とを含む、ゴルフクラブヘッドに関する。ボディおよび調節部材は、ボディに関連する第一のパラメータを調節部材が複数の位置の間で調節するように構造化され得、第一のパラメータの調節に応答して、ボディに関連する第二のパラメータは所定の公差の範囲内で一定にとどまる。
[本発明1001]
打球面、クラウン、ソール、ヒール、およびトウを規定するボディと、
該ボディに操作可能に接続された調節部材と
を含むゴルフクラブヘッドであって、
該ボディに関連する第一のパラメータを該調節部材が第一の複数の位置の間で独立して調節し、かつ該ボディに関連する第二のパラメータを該調節部材が第二の複数の位置の間で独立して調節するように、該ボディおよび該調節部材が構造化され、
該第一のパラメータおよび該第二のパラメータの調節に応答して、該ボディに関連する第三のパラメータが所定の公差の範囲内で一定にとどまる、ゴルフクラブヘッド。
[本発明1002]
第一のパラメータがロフト角である、本発明1001のゴルフクラブヘッド。
[本発明1003]
ロフト角が1度の増加単位の複数の位置の間で調節される、本発明1002のゴルフクラブヘッド。
[本発明1004]
ロフト角が8.5度から12.5度まで調節可能である、本発明1003のゴルフクラブヘッド。
[本発明1005]
第二のパラメータがフェース角である、本発明1002のゴルフクラブヘッド。
[本発明1006]
フェース角が、ニュートラル位置、オープン位置、およびクローズド位置から調節可能である、本発明1005のゴルフクラブヘッド。
[本発明1007]
第三のパラメータがソール接触点の場所であり、ソール接触点の該場所の所定の公差が、基準ソール接触点から約4mmである、本発明1005のゴルフクラブヘッド。
[本発明1008]
第三のパラメータがゴルフクラブヘッドの重心の場所であり、重心の該場所の所定の公差が、基準重心から約3mmである、本発明1005のゴルフクラブヘッド。
[本発明1009]
第三のパラメータがゴルフクラブヘッドのフェース中心の場所であり、フェース中心の該場所の所定の公差が、基準フェース中心から約3mmである、本発明1005のゴルフクラブヘッド。
[本発明1010]
第三のパラメータがゴルフクラブヘッドの慣性モーメントであり、慣性モーメントの所定の公差が、基準慣性モーメントから約10.0KG-mmである、本発明1005のゴルフクラブヘッド。
[本発明1011]
第三のパラメータがゴルフクラブヘッドのロール曲率であり、ロール曲率の所定の公差が、基準ロール曲率から約1mmである、本発明1005のゴルフクラブヘッド。
[本発明1012]
第三のパラメータがゴルフクラブヘッドのバルジ曲率であり、バルジ曲率の所定の公差が、基準バルジ曲率から約7.5mmである、本発明1005のゴルフクラブヘッド。
[本発明1013]
第三のパラメータが、慣性モーメント、重心、フェース中心、ソール接触点、バルジ曲率、またはロール曲率からなる群より選択される、本発明1005のゴルフクラブ。
[本発明1014]
シニア（A）フレックス、レギュラー（R）フレックス、スティッフ（S）フレックス、またはエクストラスティッフ（X）フレックスからなる群より選択される、ゴルフクラブヘッドに接続されたシャフトをさらに含む、本発明1001のゴルフクラブヘッド。
[本発明1015]
打球面、クラウン、ソール、ヒール、およびトウを規定するボディと、
該ボディに操作可能に接続された調節部材と
を含むゴルフクラブヘッドであって、
該ボディのロフト角を該調節部材が複数のロフト角の間で調節し、かつ該ボディのフェース角を該調節部材が複数のフェース角の間で調節するように、該ボディおよび該調節部材が構造化され、
該ロフト角および該フェース角の調節に応答して、該ボディに関連するパラメータが所定の公差の範囲内で一定にとどまる、ゴルフクラブヘッド。
[本発明1016]
ロフト角が、8.5度から12.5度まで1度の増加単位で調節される、本発明1015のゴルフクラブヘッド。
[本発明1017]
フェース角が、ニュートラル位置、クローズド位置、およびオープン位置の間で調節される、本発明1015のゴルフクラブヘッド。
[本発明1018]
パラメータがゴルフクラブヘッドの重心の場所であり、重心の該場所の所定の公差が、基準重心から約3mmである、本発明1015のゴルフクラブヘッド。
[本発明1019]
パラメータがゴルフクラブヘッドのフェース中心の場所であり、フェース中心の該場所の所定の公差が、基準フェース中心から約3mmである、本発明1015のゴルフクラブヘッド。
[本発明1020]
パラメータが、X軸、Y軸、またはZ軸のいずれか一つの軸周りのゴルフクラブヘッドの慣性モーメントであり、慣性モーメントの所定の公差が、基準慣性モーメントから約10.0KG-mmである、本発明1015のゴルフクラブヘッド。
[本発明1021]
パラメータがゴルフクラブヘッドのバルジ曲率であり、バルジ曲率の所定の公差が、基準バルジ曲率から約7.5mmである、本発明1015のゴルフクラブヘッド。
[本発明1022]
パラメータが、慣性モーメント、重心、フェース中心、ソール接触点、バルジ曲率、またはロール曲率からなる群より選択される、本発明1015のゴルフクラブ。
[本発明1023]
シニア（A）フレックス、レギュラー（R）フレックス、スティッフ（S）フレックス、またはエクストラスティッフ（X）フレックスからなる群より選択される、ゴルフクラブヘッドに接続されたシャフトをさらに含む、本発明1015のゴルフクラブヘッド。
[本発明1024]
打球面、クラウン、ソール、ヒール、およびトウを規定するボディを含む、ゴルフクラブヘッドと、
該ボディに操作可能に接続された調節部材と、
該ゴルフクラブヘッドに接続されたシャフトと
を含むゴルフクラブであって、
該クラブヘッドのロフト角を該調節部材が複数のロフト角の間で独立して調節し、かつ該クラブヘッドのフェース角を該調節部材が複数のフェース角の間で独立して調節するように、該ボディおよび該調節部材が構造化され、
該ロフト角および該フェース角の調節に応答して、該ボディに関連する一つまたは複数のパラメータが所定の公差の範囲内で一定にとどまり、
第一のパラメータが該ゴルフクラブヘッドの重心の場所として規定され、重心の該場所の所定の公差が、基準重心から約3mmであり、
第二のパラメータが該ゴルフクラブヘッドのフェース中心の場所として規定され、フェース中心の該場所の所定の公差が、基準フェース中心から約3mmであり、かつ
第三のパラメータがX軸、Y軸、またはZ軸のいずれか一つの軸周りの該ゴルフクラブヘッドの慣性モーメントとして規定され、慣性モーメントの所定の公差が、基準慣性モーメントから約10.0KG-mmである、ゴルフクラブ。
[本発明1025]
さらに、シャフトがシニア（A）フレックス、レギュラー（R）フレックス、スティッフ（S）フレックス、またはエクストラスティッフ（X）フレックスからなる群より選択される、本発明1024のゴルフクラブヘッド。
【図面の簡単な説明】
【００１１】
添付図面を考慮して以下の詳細な説明を参照することにより、本発明およびその特定の利点のより完全な理解を獲得することができる。
【００１２】
【図１】本発明の例示的ゴルフクラブの斜視図を概略的に示す。
【図２】本発明の例示的ゴルフクラブヘッドならびに様々なパフォーマンスパラメータおよびパフォーマンス特性の様々な図を示す。
【図３】本発明の例示的ゴルフクラブヘッドならびに様々なパフォーマンスパラメータおよびパフォーマンス特性の様々な図を示す。
【図４】本発明の例示的ゴルフクラブヘッドならびに様々なパフォーマンスパラメータおよびパフォーマンス特性の様々な図を示す。
【図５】本発明の例示的ゴルフクラブヘッドならびに様々なパフォーマンスパラメータおよびパフォーマンス特性の様々な図を示す。
【図６】本発明の例示的ゴルフクラブヘッドならびに様々なパフォーマンスパラメータおよびパフォーマンス特性の様々な図を示す。
【図７】本発明の例示的ゴルフクラブヘッドならびに様々なパフォーマンスパラメータおよびパフォーマンス特性の様々な図を示す。
【図８】本発明の例示的ゴルフクラブヘッドならびに様々なパフォーマンスパラメータおよびパフォーマンス特性の様々な図を示す。
【図９Ａ】本発明の例示的ゴルフクラブヘッドならびに様々なパフォーマンスパラメータおよびパフォーマンス特性の様々な図を示す。
【図９Ｂ】本発明の例示的ゴルフクラブヘッドならびに様々なパフォーマンスパラメータおよびパフォーマンス特性の様々な図を示す。
【図１０】本発明の例示的ゴルフクラブヘッドならびに様々なパフォーマンスパラメータおよびパフォーマンス特性の様々な図を示す。
【図１１】本発明の例示的ゴルフクラブヘッドならびに様々なパフォーマンスパラメータおよびパフォーマンス特性の様々な図を示す。
【図１２】本発明の例示的ゴルフクラブヘッドならびに様々なパフォーマンスパラメータおよびパフォーマンス特性の様々な図を示す。
【図１３Ａ】本発明の例示的ゴルフクラブヘッドならびに様々なパフォーマンスパラメータおよびパフォーマンス特性の様々な図を示す。
【図１３Ｂ】本発明の例示的ゴルフクラブヘッドならびに様々なパフォーマンスパラメータおよびパフォーマンス特性の様々な図を示す。
【図１４Ａ】本発明の例示的ゴルフクラブヘッドならびに様々なパフォーマンスパラメータおよびパフォーマンス特性の様々な図を示す。
【図１４Ｂ】本発明の例示的ゴルフクラブヘッドならびに様々なパフォーマンスパラメータおよびパフォーマンス特性の様々な図を示す。
【図１５】本発明の例示的ゴルフクラブヘッドならびに様々なパフォーマンスパラメータおよびパフォーマンス特性の様々な図を示す。
【図１６Ａ】本発明の例示的ゴルフクラブヘッドならびに様々なパフォーマンスパラメータおよびパフォーマンス特性の様々な図を示す。
【図１６Ｂ】本発明の例示的ゴルフクラブヘッドならびに様々なパフォーマンスパラメータおよびパフォーマンス特性の様々な図を示す。
【図１７】本発明の例示的ゴルフクラブヘッドならびに様々なパフォーマンスパラメータおよびパフォーマンス特性の様々な図を示す。
【図１８】本発明の例示的ゴルフクラブヘッドならびに様々なパフォーマンスパラメータおよびパフォーマンス特性の様々な図を示す。
【図１９Ａ】本発明の例示的ゴルフクラブの様々な構成および測定値を示す表を含む。
【図１９Ｂ】本発明の例示的ゴルフクラブの様々な構成および測定値を示す表を含む。
【図１９Ｃ】本発明の例示的ゴルフクラブの様々な構成および測定値を示す表を含む。
【図１９Ｄ】本発明の例示的ゴルフクラブの様々な構成および測定値を示す表を含む。
【図１９Ｅ】本発明の例示的ゴルフクラブの様々な構成および測定値を示す表を含む。
【図２０】図20Aおよび図20Bは、本発明の例示的ゴルフクラブの例示的調節部材を示す。
【図２１Ａ】本発明の例示的ゴルフクラブの別の例示的調節部材の様々な図を示す。
【図２１Ｂ】本発明の例示的ゴルフクラブの別の例示的調節部材の様々な図を示す。
【図２２Ａ】本発明の例示的ゴルフクラブの別の例示的調節部材の様々な図を示す。
【図２２Ｂ】本発明の例示的ゴルフクラブの別の例示的調節部材の様々な図を示す。
【図２２Ｃ】本発明の例示的ゴルフクラブの別の例示的調節部材の様々な図を示す。
【図２２Ｄ】本発明の例示的ゴルフクラブの別の例示的調節部材の様々な図を示す。
【図２３Ａ】本発明の例示的ゴルフクラブの別の例示的調節部材の様々な図を示す。
【図２３Ｂ】本発明の例示的ゴルフクラブの別の例示的調節部材の様々な図を示す。
【図２３Ｃ】本発明の例示的ゴルフクラブの別の例示的調節部材の様々な図を示す。
【図２３Ｄ】本発明の例示的ゴルフクラブの別の例示的調節部材の様々な図を示す。
【図２３Ｅ】本発明の例示的ゴルフクラブの別の例示的調節部材の様々な図を示す。
【図２４Ａ】本発明の例示的ゴルフクラブの別の例示的調節部材の様々な図を示す。
【図２４Ｂ】本発明の例示的ゴルフクラブの別の例示的調節部材の様々な図を示す。
【図２５】本発明の例示的ゴルフクラブの別の例示的調節部材の様々な図を示す。
【図２６】本発明の例示的ゴルフクラブの別の例示的調節部材の様々な図を示す。
【図２７】本発明の例示的ゴルフクラブの別の例示的調節部材の様々な図を示す。
【図２８】本発明の例示的ゴルフクラブの別の例示的調節部材の様々な図を示す。
【図２９】本発明の例示的ゴルフクラブの別の例示的調節部材の様々な図を示す。
【図３０】本発明の例示的ゴルフクラブの別の例示的調節部材の様々な図を示す。
【図３１Ａ】本発明の例示的ゴルフクラブの別の例示的調節部材の様々な図を示す。
【図３１Ｂ】本発明の例示的ゴルフクラブの別の例示的調節部材の様々な図を示す。
【図３１Ｃ】本発明の例示的ゴルフクラブの別の例示的調節部材の様々な図を示す。
【図３１Ｄ】本発明の例示的ゴルフクラブの別の例示的調節部材の様々な図を示す。
【図３１Ｅ】本発明の例示的ゴルフクラブの別の例示的調節部材の様々な図を示す。
【図３２Ａ】本発明の例示的ゴルフクラブの別の例示的調節部材の様々な図を示す。
【図３２Ｂ】本発明の例示的ゴルフクラブの別の例示的調節部材の様々な図を示す。
【図３２Ｃ】本発明の例示的ゴルフクラブの別の例示的調節部材の様々な図を示す。
【図３３Ａ】本発明の例示的ゴルフクラブヘッドを示す。
【図３３Ｂ】本発明の例示的ゴルフクラブヘッドを示す。
【図３４Ａ】本発明の例示的ゴルフクラブヘッドを示す。
【図３４Ｂ】本発明の例示的ゴルフクラブヘッドを示す。
【図３５Ａ】本発明の例示的ゴルフクラブヘッドの試験データの表を示す。
【図３５Ｂ】本発明の例示的ゴルフクラブヘッドの試験データの表を示す。
【図３５Ｃ】本発明の例示的ゴルフクラブヘッドの試験データの表を示す。
【図３６Ａ】本発明の例示的ゴルフクラブヘッドの試験データの表を示す。
【図３６Ｂ】本発明の例示的ゴルフクラブヘッドの試験データの表を示す。
【図３６Ｃ】本発明の例示的ゴルフクラブヘッドの試験データの表を示す。
【図３７】比較例としてのゴルフクラブヘッドの試験データの表を示す。
【図３８Ａ】本発明の例示的ゴルフクラブヘッドの距離および分散楕円チャートを示す。
【図３８Ｂ】本発明の例示的ゴルフクラブヘッドの距離および分散楕円チャートを示す。
【図３８Ｃ】本発明の例示的ゴルフクラブヘッドの距離および分散楕円チャートを示す。
【図３９Ａ】本発明の例示的ゴルフクラブヘッドの距離および分散楕円チャートを示す。
【図３９Ｂ】本発明の例示的ゴルフクラブヘッドの距離および分散楕円チャートを示す。
【図３９Ｃ】本発明の例示的ゴルフクラブヘッドの距離および分散楕円チャートを示す。
【図４０】比較例としてのゴルフクラブヘッドの距離および分散楕円チャートを示す。
【図４１Ａ】本発明の例示的小売陳列を示す。
【図４１Ｂ】本発明の例示的小売陳列を示す。
【図４２Ａ】本発明の例示的小売陳列を示す。
【図４２Ｂ】本発明の例示的小売陳列を示す。
【図４３】本発明の例示的方法の流れ図を示す。
【図４４】本発明の別の例示的方法の流れ図を示す。
【図４５Ａ】本発明の例示的ネットワークアーキテクチャおよびネットワークコンポーネントを示す。
【図４５Ｂ】本発明の例示的ネットワークアーキテクチャおよびネットワークコンポーネントを示す。
【００１３】
読者は、添付図面が必ずしも原寸に比例して描かれてはいないことに留意されたい。
【発明を実施するための形態】
【００１４】
詳細な説明
本発明の様々な例示的構造に関する以下の説明においては、本明細書の一部を形成し、本発明の様々な例示的調節部材、ゴルフクラブヘッドおよびゴルフクラブ構造が実例として示されている添付図面を参照する。さらには、本発明の範囲を逸脱することなく、パーツおよび構造の他の具体的配設を利用することができ、構造的および機能的変更を加えることができることが理解されよう。また、本明細書においては、本発明の様々な例示的特徴および要素を説明するために「上」、「下」、「前」、「後」、「後方」、「側方」、「下面」、「頭上」という語が使用されることがあるが、これらの語は、本明細書中、たとえば図に示す例示的向きおよび／または通常の使用における向きに基づいて便宜上使用される。本明細書におけるいかなる記載も、本発明の範囲に入るために構造の特定の三次元的または空間的向きを要するものと解釈されるべきではない。
【００１５】
図1は、本発明の少なくともいくつかの例の例示的ゴルフクラブ100を概略的に示す。このクラブ100は、クラブヘッド102、シャフト106（以下でさらに詳細に説明する）、およびシャフト106に係合したグリップ部材103を含む。これらの図においてはドライバ／ウッドタイプゴルフクラブヘッド102が示されているが、本発明の局面は、フェアウェイウッドクラブヘッド（たとえば、13〜17度の範囲のロフト角を有する3番ウッド、15〜19度の範囲のロフト角を有する5番ウッド、および他の変動するロフト角を有する他のありうるウッドクラブヘッド）、ウッドもしくはアイアンタイプハイブリッドゴルフクラブヘッド（任意の所望のロフトのヘッド、たとえば概して13〜45度）、またはアイアンタイプゴルフクラブヘッド（任意の所望のロフトのヘッド、たとえば0番アイアンもしくは1番アイアン〜ウェッジ）などをたとえば含む任意のタイプのクラブヘッドに適用することができる。クラブヘッドは、任意の所望の材料から、任意の所望の構成で、かつ／または任意の所望の様式で、たとえば、当技術分野において公知でありかつ／または使用され、以下でさらに詳細に説明する本発明の局面が求める通りに（必要であれば、たとえばサイズ、形状、構造の包含などが）場合によって変更される、従来の材料から、従来の構成で、従来の様式で、作製することができる。以下で詳細に説明するように、クラブヘッド102は、クラブヘッド102のパラメータの調節を実現することができる調節部材104を含みうる。
【００１６】
また、鋼、グラファイト系材料、ポリマー、複合材、これらの材料の組み合わせなどの、当技術分野において公知でありかつ／または使用される従来の材料を含む任意の所望の材料をシャフト106に使用することができる。場合によっては、必要または所望であれば、解放可能なクラブヘッド／シャフト接続パーツを収容するように、シャフト106を（たとえばそのサイズ、形状などを）変更してもよい。当技術分野において公知でありかつ／または使用される従来のやり方（たとえばセメントまたは接着剤経由、機械的接続経由など）を含む任意の所望のやり方で、グリップ部材103をシャフト106に係合させることができる。当技術分野において公知でありかつ／または使用される従来の材料、たとえばゴム、ポリマー材料、コルク、紐または他の織物要素がその中に埋め込まれたゴムまたはポリマー材料、布地または織物、テープなどを含む任意の所望の材料をグリップ部材103に使用することができる。
【００１７】
ドライバ、フェアウェイウッドクラブ、ハイブリッドクラブおよびアイアンクラブなどの異なる各クラブタイプについて、ゴルフクラブの製造業者は様々なまたは異なるクラブのラインおよびモデルを提供することができる。各モデルは、同じラインの同様のクラブタイプに比べて異なるクラブヘッドパラメータを有しうる。以下で詳細に説明するように、これらのクラブヘッドパラメータは、ゴルフクラブの所与のユーザーのスイングパフォーマンスおよび打球パフォーマンスに様々な影響を示しうる。したがって、各クラブモデルは、所与のゴルファー向けのスイングパフォーマンスおよび／または打球パフォーマンスを有しうる。
【００１８】
たとえば、製造業者は、四つの異なるドライバモデル、四つの異なるフェアウェイウッドモデルおよび四つの異なるハイブリッドモデルを含むメタルウッドクラブラインを提供することができる。上述のように、これらの異なるモデルは、ゴルフクラブラインが広範なゴルファーに好適な各クラブタイプのモデルを含むように、スイングパフォーマンスおよび打球パフォーマンスに対する様々な効果を示す異なったクラブヘッドパラメータを有しうる。
【００１９】
一般に、すべてのクラブヘッド102は様々なパーツを含む。図2は、本出願の残りを通じて参照される（USGAゴルフ規則から参照される）、ゴルフクラブヘッド102の様々なパーツを示す。クラブヘッド102はフェースまたは打球面110、クラウン112、ソール114、ヒール116、トウ118および背面120を有する。クラウン112は、ウッドまたはメタルウッドのヘッド102の上湾曲部分として規定されうる。ソール114は、任意のタイプのクラブの下部分または下面部分として規定され得、クラウン112とは概して反対側である。ソール114は、ゴルファーがゴルフクラブ100を地面に付ける際に地面に存在するクラブヘッド102上の区域を含みうる。ソール114は一般に接地面124上に存在しうる。接地面124は、クラブヘッド102の下部に接する水平面である。ヒール116は、ホーゼル126に最も近くかつそれを含むクラブヘッド102のパーツでありうる。トウ118は、シャフト106から最も遠いゴルフクラブ100の区域でありうる。クラブヘッド102の背面120はフェース110の概して反対側である。シャフト106はヒール116においてホーゼル126を経由してヘッド102に取り付けられる。シャフト106は中心軸107を有する。ホーゼル126は、シャフト106を収容するためのボア108、またはシャフトアダプタ200を有しうる（図21A、図22Aおよび図22B参照）。ホーゼルボア108は中心軸またはホーゼル軸128を有する。シャフト106がホーゼルボア108に挿入されて直接取り付けられる場合、ホーゼル軸128はシャフト軸107に実質的に一致しうる。シャフトアダプタ200を含むクラブヘッド態様では、シャフト106はシャフトアダプタボア208に収容されうる。シャフトアダプタボア208は中心軸またはシャフトアダプタ軸201を有しうる。この軸はシャフト軸107に実質的に一致しうる。当業者に公知のように、シャフトアダプタ軸201は、クラブヘッド102に対するシャフトアダプタの回転を介してクラブパラメータの調節を可能にするように、ホーゼル軸128から角度方向および／または直線方向にずれていてもよい。
【００２０】
本発明の局面によれば、ゴルフクラブ100にベース構成を設けることができる。ベース構成は、基準位置に向いたゴルフクラブヘッド102のベースパラメータまたはベース特性のセットによって規定されうる。ゴルフクラブ100および／またはゴルフクラブヘッド102のベースパラメータまたはベース特性としては、フェース中心の場所、ベースロフト角、ベースフェース角、ベースライ角、ベース重心の場所、ベース慣性モーメント、バルジ曲率、ロール曲率、ベースソール接触の場所またはベースソール接触点、および仮想回転点を挙げることができるが、これらに限定されない。パラメータまたは特性、ならびにそれらを測定するための方法および手順を以下で説明および詳述する。
【００２１】
図2および図4に示すように、ライ角130は、シャフト軸107と、ソール114に接触し、接地面124となりうる水平面との間で形成される角として規定される。
【００２２】
図6は、固定されたクラブヘッド102上のフェース中心の場所140を示す。フェース中心140は、全米ゴルフ協会（USGA）の標準的測定手順および測定方法を使用して決定される。たとえば、現行のUSGA手順は、クラブヘッド102のフェース110の端部におけるヒール116およびトウ118の測定値が等しくなるまで、クラブフェース110沿いの水平線142に沿って中心点を発見することを必要とする。また、クラブヘッド102のフェース110の端部におけるクラウン112およびソール114の測定値が等しくなるまで、クラブフェース110沿いの垂直線144に沿って中心点を発見することも必要である。ヒール116およびトウ118の測定値が等しくなりかつクラウン112およびソール114の測定値が等しくなる際に、これらの線の交差点がフェース中心の場所140として規定される。
【００２３】
図7は、ゴルフクラブヘッド102のロフト角150の一例を示す。図7に示すように、ロフト角150は、垂線152、つまりフェース中心軸154に垂直な軸と、垂線156、つまり接地面124に垂直な軸との間の測定値として規定される。図9Aおよび図9Bに示すように、フェース中心軸154は、フェース中心140からの軸として規定され、かつフェースに対して垂直である。
【００２４】
別の局面においては、図7に示す局面と同様に、図8に示すように、ロフト角150がフェース中心軸154と接地面124との間の測定値として規定される。これらの各ロフト角150の規定によって同様のまたはまったく同じロフト角測定値を得ることができると認識されよう。
【００２５】
図7は、ゴルフクラブヘッド102のフェース角160の一例を示す。図7に示すように、フェース角160は、フェース中心軸154および右平面162（X軸に垂直な平面）を利用して測定される。
【００２６】
起点132をゴルフクラブ100またはゴルフクラブヘッド102上に規定することができ、あるいは、ある地点を該クラブまたはヘッドの特定の要素との関連で規定することができる。重心、ソール接触点、およびフェース中心などの様々な他の地点を起点132との関連で記載および／または測定することができる。図5に示すように、座標系を起点132上に規定することができ、たとえば、Z'軸134がシャフト軸107（および／またはホーゼル軸128もしくはシャフトアダプタ軸201）の方向に沿って延び、X'軸136が垂直面に平行かつZ'軸に対して法線方向に延び、Y'軸138がX'軸およびZ'軸に対して法線方向に延びる。
【００２７】
図6は、起点132がどこに位置するかの二つの異なる例を示す。ホーゼル起点132Aとして規定される第一の場所132Aは、一般にホーゼル126上に位置する。ホーゼル起点132Aはホーゼル軸128上に位置し、またはシャフトアダプタが設けられている場合はシャフトアダプタ軸201上に位置し、ホーゼル126またはシャフトアダプタの最上縁126Aに一致する。接地起点132Bとして規定される第二の場所132Bは、一般に接地面124に位置する。接地起点132Bは、接地面124およびホーゼル軸128が交差する地点として規定される。本発明を逸脱することなく起点132用にいずれかの場所を利用することができる。さらに、本発明を逸脱することなく起点132用に他の場所を利用することができる。本出願の残りを通じて、ホーゼル起点132Aはすべての基準場所、公差、および計算に利用される。
【００２８】
図10は、ゴルフクラブヘッド102の特定のパラメータとしての重心の場所170の一例を示す。ゴルフクラブヘッド102の重心の場所170は、起点132からのその位置に関連して示される。図10に示すように、重心の場所170は、X'軸172、Y'軸174、およびZ'軸176に沿った起点132からの距離によって規定される。
【００２９】
図11を参照すると、ゴルフクラブヘッド102の特定のパラメータの別の例は、ゴルフクラブヘッド102の慣性モーメント180である。ゴルフクラブヘッドの慣性モーメントは、ゴルフクラブヘッドの重心170を通って延びる軸の周りで規定され、すなわち、慣性モーメントは、起点が重心170に位置する軸座標系であるCG X軸182、CG Y軸184およびCG Z軸186の周りで測定される。図11に示すように、慣性モーメント180は重心の周りでX方向、Y方向およびZ方向に規定され、Z軸は接地面124に垂直であり、X軸はヒール−トウ方向に存在し、Y軸はフェース−背面方向に延びる。MOI X-X 182AはX軸182の周りの慣性モーメントを表す。MOI Y-Y 184AはY軸184の周りの慣性モーメントを表す。MOI Z-Z 186AはZ軸186の周りの慣性モーメントを表す。
【００３０】
ゴルフクラブヘッドの特定のパラメータの別の例は、ゴルフクラブヘッド102のバルジ半径またはバルジ曲率190である。図12、図13Aおよび図13Bは、ゴルフクラブヘッド102の特定のパラメータとしてのバルジ曲率190の一例を示す。バルジ曲率190は、バルジ面191とフェース110との交点として規定される。バルジ面191は、フェース中心140を通る、接地面124に平行な平面として規定される。バルジ曲率190は、ヒール116からトウ118までのウッドまたはメタルウッドのフェース110の水平曲率である。一例を挙げると、図13Bに示すように、半径Rを有する円192がクラブヘッド102のバルジ曲率190に従う。バルジ曲率190の測定値を決定するために、その円192の弧が使用される。最適曲線を発見することで、またはバルジ曲率190の測定値を決定するための半径ゲージを利用することで、バルジ曲率190を決定することができる。バルジ曲率190は半径の概算値であって半径そのものではないということがある。バルジ曲率190は、たとえば、半径を概算するための当技術分野において公知でありかつ／または使用される数理技術を利用して半径として概算可能な、複合曲線などでありうる。
【００３１】
図12および図14は、ゴルフクラブヘッド102の特定のパラメータとしてのロール半径またはロール曲率194の一例を示す。ロール曲率194は、ロール面195とフェース110との交点として規定される。ロール面195は、フェース中心140を通る接地面124に対して法線方向の平面として規定される。ロール曲率194は、クラウン112からソール114までのウッドまたはメタルウッドのフェース110の垂直曲率である。一例を挙げると、図14Bに示すように、半径R'を有する円196がクラブヘッド102のロール曲率194に従う。ロール曲率194の測定値を決定するために、その円196の弧が使用される。最適曲線を発見することで、またはロール曲率194の測定値を決定するための半径ゲージを利用することで、ロール曲率194を決定することができる。ロール曲率194は半径の概算値であって半径そのものではないということがある。ロール曲率194は、たとえば、半径を概算するための当技術分野において公知でありかつ／または使用される数理技術を利用して半径として概算可能な、複合曲線などでありうる。
【００３２】
ソール接触点165は、基準位置に対して測定され、基準位置にゴルフクラブヘッド102を固定することで自然に得られる。図15に示すように、ソール接触点165は、クラブヘッド102のソールが接地面124に接触する地点である。ソール接触点165を決定するには、水平面がクラブヘッド102の下部の最低点と交差するように水平面を整列させることで接地面124を作り出す。図15に示すように、ソール接触点の場所165は、X'軸166、Y'軸167およびZ'軸168における起点132からの距離によって規定される。一般に、ソール114の幾何学的形状によってソール接触点165が生じうる。しかし、いくつかのクラブモデルにおいては、ソールの幾何学的形状がラインを生じさせることがあり、そこでソール接触点165をそのラインの中点として規定することができる。さらに、いくつかのクラブモデルにおいては、ソール114の幾何学的形状が二次元形状（すなわち長方形、正方形、円形、楕円形、不規則形など）を生じさせることがあり、そこでソール接触点165を二次元形状の区域の中心として規定することができる。
【００３３】
図3〜図7は、基準位置に向いたゴルフクラブヘッド102を示す。図3に示すように、基準位置において、シャフト軸106（および／またはホーゼル軸128もしくはシャフトアダプタ軸201、図示せず）は垂直面内にある。
【００３４】
図2および図4に示すように、シャフト軸107（および／またはホーゼル軸128もしくはシャフトアダプタ軸201）はベースライ角130に向きうる。基準位置に対して選択されるベースライ角は、ゴルフクラブ100の製造業者が指定したライ角でありうる。特定のライ角が製造業者から入手可能ではない場合、シャフトの長さおよび／またはクラブヘッドの幾何学的形状に応じて、57〜63度のライ角をメタルウッドに使用することができることを、当業者は理解するであろう。たとえば、現代のドライバタイプメタルウッドクラブは約60度のライ角に向きうる。
【００３５】
図7および図8に示すように、フェースはベースロフト角150およびベースフェース角160に向きうる。基準位置に対して選択されるベースロフト角およびベースフェース角は、ゴルフクラブの製造業者が指定したロフト角およびフェース角でありうる。
【００３６】
クラブヘッドのパラメータまたは特性は物理的にまたはコンピュータ支援設計（CAD）環境下で測定することができる。一般に、クラブヘッド102の三次元（3D）モデルが容易に入手可能ではない場合、クラブヘッド102の物理的な例の内側および外側の3Dスキャンを行い、モデルが物理的クラブヘッドを実質的に代表するようにスキャンデータおよび／または物理的測定値からモデルファイルを作り出すことによって、それを作り出すことができる。CAD環境下では、クラブヘッド102のモデルを基準位置に設定することができ、ここでフェース110は、そのモデルが完全に拘束されるようなCAD環境内でベースフェース角および／またはベースロフト角に向いている。
【００３７】
たとえば図16に示すように、本発明の別の局面において、固定システム105を使用してゴルフクラブ100が基準位置に物理的に向くようにすることができる。上記のように、シャフト軸107（ならびに／またはホーゼル軸128およびシャフトアダプタ軸201）は、ゴルフクラブ製造業者の仕様によるライ角に整列させてもよく、当業者が決定する適切なライ角に整列させてもよい。ゴルフクラブヘッド102は、ソール114が水平面124に接触するように置いてもよく、ここでクラブフェース110は、当業者に公知の従来のロフト角およびフェース角測定ゲージを使用してベースフェース角および／またはベースロフト角に配置される。
【００３８】
いくつかまたはすべてのクラブヘッドパラメータの調節を可能にしうる調節可能なクラブヘッドでは、各クラブヘッドのベース位置をニュートラル位置として選択することができる。たとえば、クラブヘッド102を三つの別個のフェース角のいずれかに調節することができる場合、中間のフェース角を選択することができる（たとえば、−2度、0度および＋2度のオプションでは、0度を選択することができる）。同様に、フェース角を有限な位置範囲にわたる任意の所望の位置に調節することができる場合、その範囲の中間値を選択することができる（たとえば、−2度〜2度の範囲では、0度を選択することができる）。ベースパラメータまたはベース特性に与えられる別個の位置オプションの数が明確な中間値を有さない場合（たとえば二つ、四つまたは六つのオプション）、ニュートラル位置は、中間位置に最も近い上限値または下限値の位置のうち一つでありうる（たとえば、二つの別個の位置を有するシステムでは第一または第二の位置；四つの別個の位置を有するシステムでは第二または第三の位置；など）。
【００３９】
ベースパフォーマンスパラメータまたはベースパフォーマンス特性を基準位置において測定した時点で、クラブを様々な利用可能な位置のいずれかまたはすべてに調節することができ、パフォーマンスパラメータまたはパフォーマンス特性を各位置において測定することができる。利用可能な様々な各構成においてパフォーマンスパラメータを測定可能なクラブヘッド102の位置を決定するには、異なる各構成を実現するためにクラブヘッド102の回転または角度割り出しをどのようにして行うかを決定する必要がありうる。その後、調節を反映しかつ任意の所望の測定を行うために、クラブヘッド102をCAD環境または固定システム内に適宜配置することができる。
【００４０】
B. 調節可能なゴルフクラブシステムおよび方法の説明
概して、本発明の局面は、ゴルフクラブ構成を変化させるためにゴルフクラブパラメータを容易に調節可能にしかつ／またはゴルフクラブコンポーネントを容易に交換可能にする調節部材を組み込んだゴルフクラブまたはゴルフクラブコンポーネントと、ゴルフクラブを提供するための方法とに関する。クラブ構成は、調節可能なまたは「デザインインされた」、各モデルについて利用可能なオプションの一つの順列、たとえば、ロフト角および／またはフェース角および／またはライ角および／またはシャフトフレックスおよび／または構成として規定されうる。本発明の局面によれば、クラブもしくはクラブヘッドの他の変数、パラメータ、または特性に実質的に変化がないことを確実にしながら、ゴルフクラブ構成を変化させるために、ゴルフクラブパラメータを調節可能にするために調節部材を利用することができる。本発明の別の局面によれば、クラブもしくはクラブヘッドの他の変数、パラメータ、または特性に実質的に変化がないことを確実にしながら、ゴルフクラブ構成を変化させるために、二つのゴルフクラブパラメータを独立して調節可能にするために調節部材を利用することができる。
【００４１】
上述のように、ゴルフクラブ100にはベース構成を設けることができ、ゴルフクラブは、基準位置に向く際に、ベースロフト角、ベースライ角、ベースフェース角、ベース重心の場所、ベース慣性モーメントなどのベースパラメータまたはベース特性のセットを有しうる。調節部材は、クラブもしくはクラブヘッドの他の変数、パラメータ、または特性に実質的に変化がないことを確実にしながら、ユーザーが一つもしくは複数のパラメータまたは特性を他のパラメータまたは特性とは独立して変化させることを可能にしうる。
【００４２】
たとえば、ゴルフクラブはベースロフト角（ベースラインロフト角またはニュートラルロフト角と呼ばれることもある）を含みうる。このベースロフト角としては、特定のゴルフクラブに適した任意のロフト角を挙げることができる。たとえば、ドライバタイプゴルフクラブは10.5度の公称ベースロフト角を有しうる。別の例において、フェアウェイウッドタイプゴルフクラブが16度の公称ベースロフト角を有しうる一方、別のフェアウェイウッドタイプゴルフクラブは20度の公称ベースロフト角を有しうる。さらに別の例において、ハイブリッドタイプゴルフクラブは18度の公称ベースロフト角を有しうる。本発明を逸脱することなく様々なタイプのゴルフクラブ用の他のベースロフト角を利用することができる。
【００４３】
本発明の例の調節部材は、ユーザーがクラブロフト角をベースロフト角から個々の増加単位で、たとえば、1度、プラス公差、たとえば±0.3度変化させることを可能にしうる。したがって、10.5度の公称ベースロフト角を有するドライバクラブの例では、調節部材は、ユーザーが例示的ベースクラブロフト角を9.5度または11.5度に変化させることでロフト角を有効に1度低下または上昇させることを可能にしうる。別の局面において、調節部材は、ユーザーがクラブロフト角をベースロフト角から個々の増加単位で、たとえば、±2度、プラス公差、たとえば±0.3度変化させることを可能にしうる。したがって、調節部材は、ユーザーが例示的ベースクラブロフト角を8.5度、9.5度、11.5度、または12.5度に変化させることでロフト角を有効に各増加単位につき1度低下または上昇させることを可能にしうる。さらに、調節部材は、ユーザーがクラブロフト角を基準ロフト角から最大±4度、プラス公差、たとえば0.3度変化させることを可能にしうる。たとえば、調節部材はユーザーが公称ベースロフト角を6.5度、7.5度、8.5度、9.5度、11.5度、12.5度、13.5度、または14.5度に変化させることを可能にしうる。ロフト角を変化させる際に、ゴルフクラブヘッドまたはゴルフクラブの任意の他のパラメータ、変数、または特性、たとえばライ角、フェース角、バルジ曲率、ロール曲率、クラブヘッド重心高さ、重心を通過する様々な軸の周りのクラブヘッドの慣性モーメント、などに実質的に変化がない（または変化が最小である）ことがある［たとえば、基準位置に対して測定する際に±0.3度、±4mm、または15KG/mm2未満の変化］。本発明の例の調節部材は、クラブもしくはクラブヘッドの他の変数、パラメータ、または特性に実質的に変化がないことを確実にしながら、単一のクラブヘッドについてユーザーが少なくとも三つの異なるロフトから選択することを可能にしうる。
【００４４】
別の例において、または上記の例に加えて、ゴルフクラブは、ニュートラルフェース角でありうるベースフェース角を含みうる。このベースフェース角としては、特定のゴルフクラブに適した任意のフェース角を挙げることができる。たとえば、ドライバタイプゴルフクラブは約1度オープン、またはニュートラルフェース角もしくは0度という公称ベースフェース角を有しうる。本発明を逸脱することなく様々なゴルフクラブタイプ用の他のベースフェース角を利用することができる。
【００４５】
本発明の例の第二の調節部材は、ユーザーがクラブフェース角をベースフェース角から個々の増加単位で、たとえば、2度、プラス公差、たとえば±0.5度変化させることを可能にしうる。第二の調節部材は、本発明を逸脱することなく、個別の調節部材でもあってもよく、第一の調節部材と一体であってもよい。したがって、第二の調節部材は、ユーザーが例示的ベースクラブフェース角をニュートラルフェース角から＋2度オープンまたは−2度クローズドに変化させることで有効にフェース角を2度低下または上昇させることを可能にしうる。さらに、第二の調節部材は、ユーザーがクラブフェース角をベースフェース角から最大±4度、プラス公差、たとえば0.5度変化させることを可能にしうる。たとえば、第二の調節部材は、ユーザーが公称ベースフェース角をニュートラルフェース角から＋4度オープンフェース角または−4度クローズドフェース角に変化させることを可能にしうる。フェース角を変化させる際に、ゴルフクラブヘッドまたはゴルフクラブの任意の他のパラメータ、変数、または特性、たとえばライ角、ロフト角、バルジ曲率、ロール曲率、クラブヘッド重心高さ、重心を通過する様々な軸の周りのクラブヘッドの慣性モーメント、などに実質的に変化がない（または変化が最小である）ことがある［たとえば、基準位置に対して測定する際に±0.3度、±4mm、または15KG/mm2未満の変化］。本発明の例の第二の調節部材は、クラブもしくはクラブヘッドの他の変数、パラメータ、または特性に実質的に変化がないことを確実にしながら、単一のクラブヘッドについてユーザーが少なくとも三つの異なるフェース角から選択することを可能にしうる。
【００４６】
上述のように、重心の場所、フェース中心の場所、ソール接触点、慣性モーメント、バルジ曲率およびロール曲率などのクラブもしくはクラブヘッドの他の変数、パラメータ、または特性に実質的に変化がないことを確実にしながら、一つもしくは二つのパラメータまたは特性を他のパラメータまたは特性とは独立して変化させるために、調節部材および／または第二の調節部材を利用することができる。これらの各パラメータは実質的に変化しないかも知れないが、基準位置または基準値に対して測定する際にこれらのパラメータについて公差レベルまたは最小限の変化が存在することがある。この最小限の変化は変化パーセントまたは変化値などの様々な方法で表すことができる。
【００４７】
たとえば、一つまたは二つのパラメータを変化させる際に（ロフト角および／またはフェース角などの）、慣性モーメントは基準慣性モーメントから最小限に変化しうる。慣性モーメントのこの最小限の変化はMOI公差値またはMOI公差パーセントで表すことができる。本発明の一局面において、一つまたは二つのパラメータを変化させる際に、MOI公差値はいずれかの軸の周りで10.0KG-mm2以下でありうる。本発明の別の局面において、一つまたは二つのパラメータを変化させる際に、MOI公差値はいずれかの軸の周りで15.0KG-mm2以下でありうる。本発明の別の局面において、一つまたは二つのパラメータを変化させる際に、MOI公差パーセントはいずれかの軸の周りで2%以下でありうる。本発明の別の局面において、一つまたは二つのパラメータを変化させる際に、MOI公差パーセントはいずれかの軸の周りで4%以下でありうる。
【００４８】
さらに、上述のように、クラブもしくはクラブヘッドの他の変数、パラメータ、または特性に実質的に変化がないかまたは変化が最小であることを確実にしながら、一つもしくは二つのパラメータまたは特性を他のパラメータまたは特性とは独立して変化させるために、調節部材および／または第二の調節部材を利用することができる。特定の場所のパラメータ（重心の場所、フェース中心の場所、およびソール接触点の場所など）に関して、最小限の変化はこれらの特定の場所の、三次元の公差の球面によって表すことができる。
【００４９】
公差の球面は、以下に規定される実際の球面方程式の形態でありうる。
(x - Xo)2 + (y - Yo)2 + (z - Zo)2 = r2
式中、Xo、Yo、およびZoは球の中心であり、rは球の半径である。
【００５０】
たとえば、一つまたは二つのパラメータを変化させる際に（ロフト角および／またはフェース角などの）、重心の場所は基準重心の場所から最小限に変化しうる。重心の場所のこの最小限の変化は、重心の公差の球面によって規定される区域内で維持される。本発明の一局面において、重心の公差の球面の半径は約1mmであり、ここで、一つまたは二つのパラメータを変化させる際の重心の場所の最小限の変化は、球の中心または基準重心の場所から任意の方向に1mm以下である。本発明の別の局面において、重心の公差の球面の半径は約2mmであり、ここで、一つまたは二つのパラメータを変化させる際の重心の場所の最小限の変化は、球の中心または基準重心の場所から任意の方向に2mm以下である。本発明の別の局面において、重心の公差の球面の半径は約4mmであり、ここで、一つまたは二つのパラメータを変化させる際の重心の場所の最小限の変化は、球の中心または基準重心の場所から任意の方向に4mm以下である。
【００５１】
さらに、一つまたは二つのパラメータを変化させる際に（ロフト角またはフェース角などの）、フェース中心の場所は基準フェース中心の場所から最小限に変化しうる。フェース中心の場所のこの最小限の変化は、フェース中心の公差の球面によって規定される区域内で維持される。本発明の一局面において、フェース中心の公差の球面の半径は約1mmであり、ここで、一つまたは二つのパラメータを変化させる際のフェース中心の場所の最小限の変化は、球の中心または基準フェース中心の場所から任意の方向に1mm以下である。本発明の別の局面において、フェース中心の公差の球面の半径は約2mmであり、ここで、一つまたは二つのパラメータを変化させる際のフェース中心の場所の最小限の変化は、球の中心または基準フェース中心の場所から任意の方向に2mm以下である。本発明の別の局面において、フェース中心の公差の球面の半径は約4mmであり、ここで、一つまたは二つのパラメータを変化させる際のフェース中心の場所の最小限の変化は、球の中心または基準フェース中心の場所から任意の方向に4mm以下である。
【００５２】
さらに、一つまたは二つのパラメータを変化させる際に（ロフト角またはフェース角などの）、ソール接触点の場所は基準ソール接触点の場所から最小限に変化しうる。ソール接触点の場所のこの最小限の変化は、ソール接触点の公差の球面によって規定される区域内で維持される。本発明の一局面において、ソール接触点の公差の球面の半径は約1mmであり、ここで、一つまたは二つのパラメータを変化させる際のソール接触点の場所の最小限の変化は、球の中心または基準ソール接触点の場所から任意の方向に1mm以下である。本発明の別の局面において、ソール接触点の公差の球面の半径は約2mmであり、ここで、一つまたは二つのパラメータを変化させる際のソール接触点場の所の最小限の変化は、球の中心または基準ソール接触点の場所から任意の方向に2mm以下である。本発明の別の局面において、ソール接触点の公差の球面の半径は約4mmであり、ここで、一つまたは二つのパラメータを変化させる際のソール接触点の場所の最小限の変化は、球の中心または基準ソール接触点の場所から任意の方向に4mm以下である。
【００５３】
さらに、上述のように、クラブもしくはクラブヘッドの他の変数、パラメータ、または特性に実質的に変化がないかまたは変化が最小であることを確実にしながら、一つもしくは二つのパラメータまたは特性を他のパラメータまたは特性とは独立して変化させるために、調節部材および／または第二の調節部材を利用することができる。バルジ曲率およびロール曲率に関して、最小限の変化を二次元の曲率の公差によって表すことができる。図17および図18に示すように、曲率の公差は、二つの異なる円の違いによって作り出される空間によって規定することができる。一方の円を公差下限値の半径の円として規定することができ、他方の円を公差上限値の半径の円として規定することができる。
【００５４】
二つの円はそれぞれ、以下に規定される実際の円方程式によって表すことができる。
(x - Xo)2 + (y - Yo)2 = r2
式中、XoおよびYoは円の中心であり、rは円の半径（またはバルジ曲率／ロール曲率）である。
【００５５】
したがって、公差曲率は、下限の円の方程式から上限の円の方程式を減算することによって計算することができ、ここで上限値の円は下記式として規定される。
(xU - Xo)2 + (yU - Yo)2 = rU2
式中、XoおよびYoは円の中心であり、xUおよびyUならびにrUは公差上限値の円の座標および半径である。
[(xL - Xo)2 + (yL - Yo)2] = rL2
式中、XoおよびYoは円の中心であり、xLおよびyLならびにrLは公差下限値の円の座標および半径である。
【００５６】
曲率の公差は、公差上限値の半径と公差下限値の半径との間に位置するものとして規定されうる。図17および図18はそれぞれバルジ曲率の公差およびロール曲率の公差を示す。一般に、様々な調節中のバルジ曲率およびロール曲率の最小限の変化は、公差上限値の半径および公差下限値の半径によって規定される区域内、または曲率の公差内で維持される。
【００５７】
たとえば、一つまたは二つのパラメータを変化させる際に（ロフト角および／またはフェース角などの）、バルジ曲率は、半径上限値と半径下限値との間の基準バルジ曲率から最小限に変化しうる。バルジ曲率のこの最小限の変化は、バルジ曲率の公差によって規定される区域内で維持される。本発明の一局面において、バルジ曲率の公差は約2.5mmであり、ここで、一つまたは二つのパラメータを変化させる際のバルジ曲率の最小限の変化は、基準バルジ曲率に対して2.5mm以内のバルジ曲率公差である。本発明の別の局面において、バルジ曲率の公差は約5mmであり、ここで、一つまたは二つのパラメータを変化させる際のバルジ曲率の最小限の変化は、基準バルジ曲率に対して5mm以内のバルジ曲率公差である。本発明の別の局面において、バルジ曲率の公差は約7.5mmであり、ここで、一つまたは二つのパラメータを変化させる際のバルジ曲率の最小限の変化は、基準バルジ曲率に対して7.5mm以内のバルジ曲率公差である。本発明の別の局面において、一つまたは二つのパラメータを変化させる際に、バルジ曲率の公差パーセントは基準バルジ曲率から1%以下でありうる。本発明の別の局面において、一つまたは二つのパラメータを変化させる際に、バルジ曲率の公差パーセントは基準バルジ曲率から3%以下でありうる。
【００５８】
さらに、一つまたは二つのパラメータを変化させる際に、ロール曲率は上限半径と下限半径との間の基準ロール曲率から最小限に変化しうる。ロール曲率のこの最小限の変化は、ロール曲率の公差によって規定される区域内で維持される。本発明の一局面において、ロール曲率の公差は約1mmであり、ここで、一つまたは二つのパラメータを変化させる際のロール曲率の最小限の変化は、基準ロール曲率に対して1mm以内のロール曲率公差である。本発明の別の局面において、ロール曲率の公差は約2mmであり、ここで、一つまたは二つのパラメータを変化させる際のロール曲率の最小限の変化は、基準ロール曲率に対して2mm以内のロール曲率公差である。本発明の別の局面において、一つまたは二つのパラメータを変化させる際に、バルジ曲率の公差パーセントは基準バルジ曲率から0.5%以下でありうる。本発明の別の局面において、一つまたは二つのパラメータを変化させる際に、バルジ曲率の公差パーセントは基準バルジ曲率から1%以下でありうる。
【００５９】
図19Aは、所与のドライバゴルフクラブヘッドの公差データの例示的セットを示す。以下のデータ／情報のセットは、ニュートラルクラブフェース角を有しかつロフト角のみを変化させたクラブヘッドについて示される。以下のデータは、図19Aに示す表から参照される。基準位置またはベース位置にあるこのクラブヘッドでは、基準ロフト角またはベースロフト角は10.5度である。クラブヘッドは、調節部材を利用して五つの異なる位置に調節可能である。この所与の例において、利用可能な位置は異なるロフト角によって表され、ここでロフト角は8.5、9.5、10.5、11.5、および12.5度に調節可能である。以下の表は、上記で説明および詳述したプロセスを利用して決定された、五つの様々な各構成を通じての各パフォーマンスパラメータの最大公差を表す。
【００６０】
（表１Ａ）ドライバ#1（C1）の公差レベル−ロフト角調節
0006030756.tif 000002
【００６１】
以下のデータ／情報のセットは、ロフト角とフェース角との両方を変化させたクラブヘッドについて示される。以下のデータは、図19Aに示す表から参照される。基準位置またはベース位置にあるこのクラブヘッドでは、基準ロフト角またはベースロフト角は10.5度であり、公称フェース角は約1度オープンのニュートラル位置（または0度のニュートラルフェース角）を有する。クラブヘッドは、調節部材を利用して15個の異なる位置に調節可能である。この所与の例において、ロフト角は8.5、9.5、10.5、11.5、および12.5に調節可能である。この所与の例において、フェース角はニュートラル位置からオープン位置およびクローズド位置に調節可能である（フェース角を各方向に約1〜1.5度調節する）。以下の表は、上記で説明および詳述したプロセスを利用して決定された、五つの様々な各構成（三つのフェース角調節位置による五つのロフト調節位置）を通じての各パフォーマンスパラメータの最大公差を表す。
【００６２】
（表１Ｂ）ドライバ#1（C1）の公差レベル−ロフト角およびフェース角調節
0006030756.tif 000003
【００６３】
図19Bは、上記の原理を組み込んだ異なるモデルを代表する別の所与のドライバゴルフクラブヘッドの公差データの例示的セットを示す。以下のデータ／情報のセットは、ニュートラルクラブフェース角を有しかつロフト角のみを変化させたクラブヘッドについて示される。以下のデータは、図19Bに示す表から参照される。基準位置またはベース位置にあるこのクラブヘッドでは、基準ロフト角またはベースロフト角は10.5度である。クラブヘッドは、調節部材を利用して五つの異なる位置に調節可能である。この所与の例において、利用可能な位置は異なるロフト角によって表され、ここでロフト角は8.5、9.5、10.5、11.5、および12.5度に調節可能である。以下の表は、上記で説明および詳述したプロセスを利用して決定された、五つの様々な各構成を通じての各パフォーマンスパラメータの最大公差を表す。
【００６４】
（表２Ａ）ドライバ#2（C2）の公差レベル−ロフト角調節
0006030756.tif 000004
【００６５】
以下のデータ／情報のセットは、ロフト角とフェース角との両方を変化させたクラブヘッドについて示される。以下のデータは、図19Bに示す表から参照される。基準位置またはベース位置にあるこのクラブヘッドでは、基準ロフト角またはベースロフト角は10.5度であり、公称フェース角は約1度オープンのニュートラル位置（または0度のニュートラルフェース角）を有する。クラブヘッドは、調節部材を利用して15個の異なる位置に調節可能である。この所与の例において、ロフト角は8.5、9.5、10.5、11.5、および12.5に調節可能である。この所与の例において、フェース角はニュートラル位置からオープン位置およびクローズド位置に調節可能である（フェース角を各方向に約1〜1.5度調節する）。以下の表は、上記で説明および詳述したプロセスを利用して決定された、五つの様々な各構成（三つのフェース角調節位置による五つのロフト調節位置）を通じての各パフォーマンスパラメータの最大公差を表す。
【００６６】
（表２Ｂ）ドライバ#2（C2）の公差レベル−ロフト角およびフェース角調節
0006030756.tif 000005
【００６７】
図19Cは、所与のフェアウェイウッドクラブヘッド、たとえば3番ウッドの公差データの例示的セットを示す。以下のデータ／情報のセットは、ニュートラルクラブフェース角を有しかつロフト角のみを変化させたクラブヘッドについて示される。以下のデータは、図19Cに示す表から参照される。基準位置またはベース位置にあるこのクラブヘッドでは、基準ロフト角またはベースロフト角は16度である。クラブヘッドは、調節部材を利用して五つの異なる位置に調節可能である。この所与の例において、利用可能な位置は異なるロフト角によって表され、ここでロフト角は14、15、16、17、および18度に調節可能である。以下の表は、上記で説明および詳述したプロセスを利用して決定された、五つの様々な各構成を通じての各パフォーマンスパラメータの最大公差を表す。
【００６８】
（表３Ａ）フェアウェイウッド#1（3番ウッド）の公差レベル−ロフト角調節
0006030756.tif 000006
【００６９】
以下のデータ／情報のセットは、ロフト角とフェース角との両方を変化させたクラブヘッドについて示される。以下のデータは、図19Cに示す表から参照される。基準位置またはベース位置にあるこのクラブヘッドでは、基準ロフト角またはベースロフト角は16度であり、公称フェース角は約1度オープンのニュートラル位置（または0度のニュートラルフェース角）を有する。クラブヘッドは、調節部材を利用して15個の異なる位置に調節可能である。この所与の例において、ロフト角は14、15、16、17、および18度に調節可能である。この所与の例において、フェース角はニュートラル位置からオープン位置およびクローズド位置に調節可能である（フェース角を各方向に約0.5〜1度調節する）。以下の表は、上記で説明および詳述したプロセスを利用して決定された、五つの様々な各構成（三つのフェース角調節位置による五つのロフト調節位置）を通じての各パフォーマンスパラメータの最大公差を表す。
【００７０】
（表３Ｂ）フェアウェイウッド#1（3番ウッド）の公差−ロフト角およびフェース角調節
0006030756.tif 000007
【００７１】
図19Dは、別の所与のフェアウェイウッドクラブヘッド、たとえば5番ウッドの公差データの例示的セットを示す。以下のデータ／情報のセットは、ニュートラルクラブフェース角を有しかつロフト角のみを変化させたクラブヘッドについて示される。以下のデータは、図19Dに示す表から参照される。基準位置またはベース位置にあるこのクラブヘッドでは、基準ロフト角またはベースロフト角は20度である。クラブヘッドは、調節部材を利用して五つの異なる位置に調節可能である。この所与の例において、利用可能な位置は異なるロフト角によって表され、ここでロフト角は18、19、20、21、および22度に調節可能である。以下の表は、上記で説明および詳述したプロセスを利用して決定された、五つの様々な各構成を通じての各パフォーマンスパラメータの最大公差を表す。
【００７２】
（表４Ａ）フェアウェイウッド#2（5番ウッド）の公差−ロフト角調節
0006030756.tif 000008
【００７３】
以下のデータ／情報のセットは、ロフト角とフェース角との両方を変化させたクラブヘッドについて示される。以下のデータは、図19Dに示す表から参照される。基準位置またはベース位置にあるこのクラブヘッドでは、基準ロフト角またはベースロフト角は20度であり、公称フェース角は約1度オープンのニュートラル位置（または0度のニュートラルフェース角）を有する。クラブヘッドは、調節部材を利用して15個の異なる位置に調節可能である。この所与の例において、ロフト角は18、19、20、21、および22度に調節可能である。この所与の例において、フェース角はニュートラル位置からオープン位置およびクローズド位置に調節可能である（フェース角を各方向に約0.5〜1度調節する）。以下の表は、上記で説明および詳述したプロセスを利用して決定された、五つの様々な各構成（三つのフェース角調節位置による五つのロフト調節位置）を通じての各パフォーマンスパラメータの最大公差を表す。
【００７４】
（表４Ｂ）フェアウェイウッド#2（5番ウッド）の公差−ロフト角およびフェース角調節
0006030756.tif 000009
【００７５】
図19Eは、所与のハイブリッドタイプクラブヘッドの公差データの例示的セットを示す。以下のデータ／情報のセットは、ニュートラルクラブフェース角を有しかつロフト角のみを変化させたクラブヘッドについて示される。以下のデータは、図19Eに示す表から参照される。基準位置またはベース位置にあるこのクラブヘッドでは、基準ロフト角またはベースロフト角は18度である。クラブヘッドは、調節部材を利用して五つの異なる位置に調節可能である。この所与の例において、利用可能な位置は異なるロフト角によって表され、ここでロフト角は16、17、18、19、および20度に調節可能である。以下の表は、上記で説明および詳述したプロセスを利用して決定された、五つの様々な各構成を通じての各パフォーマンスパラメータの最大公差を表す。
【００７６】
（表５Ａ）ハイブリッドタイプクラブの公差レベル−ロフト角調節
0006030756.tif 000010
【００７７】
以下のデータ／情報のセットは、ロフト角とフェース角との両方を変化させたクラブヘッドについて示される。以下のデータは、図19Eに示す表から参照される。基準位置またはベース位置にあるこのクラブヘッドでは、基準ロフト角またはベースロフト角は18度であり、公称フェース角は約1度オープンのニュートラル位置（または0度のニュートラルフェース角）を有する。クラブヘッドは、調節部材を利用して15個の異なる位置に調節可能である。この所与の例において、ロフト角は16、17、18、19、および20度に調節可能である。この所与の例において、フェース角はニュートラル位置からオープン位置およびクローズド位置に調節可能である（フェース角を約0.5〜1度調節する）。以下の表は、上記で説明および詳述したプロセスを利用して決定された、五つの様々な各構成（三つのフェース角調節位置による五つのロフト調節位置）を通じての各パフォーマンスパラメータの最大公差を表す。
【００７８】
（表５Ｂ）ハイブリッドタイプクラブの公差レベル−ロフト角およびフェース角調節
0006030756.tif 000011
【００７９】
図33Aおよび図33Bは、上記の表1Aおよび表1B、ならびに図19Aに提示した公差の仕様に従って製造された、C1ドライバと呼ばれる、調節可能なドライバまたはクラブヘッドを示す。図34Aおよび図34Bは、上記の表2Aおよび表2B、ならびに図19Bに提示した公差の仕様に従って製造された、C2ドライバと呼ばれる、別の調節可能なドライバまたはクラブヘッドを示す。本発明のこれらの特定のドライバクラブヘッドにおいては、一つまたは二つのパラメータを他のパラメータまたは特性とは独立して変化させる場合、重心の場所、フェース中心の場所、ソール接触点、慣性モーメント、バルジ曲率およびロール曲率などのクラブもしくはクラブヘッドの他の変数、パラメータ、または特性には実質的に変化がない。上記の調節部材を利用する、図33A〜図34Bに示す上記のこれらドライバクラブヘッドによって、異なるデザインインされたロフト角および／またはデザインインされたフェース角を含む同じタイプのクラブヘッドの複数の構成またはモデルを交換することができる。図33A〜図34Bに示すドライバクラブヘッドは、調節部材を利用している間に、クラブもしくはクラブヘッドの他の変数、パラメータ、または特性に実質的に変化がないことを確実にしながら、ユーザーが一つもしくは複数のパラメータまたは特性を他のパラメータまたは特性（ロフト角および／またはフェース角などの）とは独立して変化させることを可能にしうる。
【００８０】
図35A〜図40は試験データの表、およびチャートを示し、これらは、上記の表1A〜表2Bに提示した公差の仕様に従って製造された、C1ドライバおよびC2ドライバと呼ばれる、調節可能なクラブまたはクラブヘッド、ならびにデザインインされたロフト角を有する一連の比較例のクラブの、ロボット試験により取得したデータを示す。具体的には、図35A〜図35Cは、上記の表1Aおよび表1Bに記載および詳述したC1ドライバの試験データの表を示し、一方、図38A〜図38Cは、上記の表1Aおよび表1Bに記載および詳述したC1ドライバの距離および分散楕円チャートを示す。さらに、図36A〜図36Cは、上記の表2Aおよび表2Bに記載および詳述したC2ドライバの試験データの表を示し、一方、図39A〜図39Cは、上記の表2Aおよび表2Bに記載および詳述したC2ドライバの距離および分散楕円チャートを示す。図37および図40は、デザインインされたロフト角を有する比較例ドライバクラブの試験データの表ならびに距離および分散楕円チャートを示す。
【００８１】
データの表、ならびに距離および分散楕円チャートに示すように、表1A〜表2Bの仕様に従った例示的クラブヘッドは、比較例と一致したかまたはそれよりも優れたパフォーマンスを実現した。一例として、具体的には、表1A〜表2Bの仕様に従ったクラブヘッドのミート率は、比較例のクラブヘッドに一致している。さらに、別の例として、表1A〜表2Bの仕様に従ったクラブヘッドの分散は、比較例のクラブヘッドに一致しているかまたはそれよりも良好である。さらに、別の例として、表1A〜表2Bの仕様に従ったクラブヘッドの距離は、比較例のクラブヘッドに一致しているかまたはそれよりも良好である。
【００８２】
例示的調節部材の説明
上述のように、調節部材および／または第二の調節部材は、クラブもしくはクラブヘッドの他の変数、パラメータ、または特性に実質的に変化がないことを確実にしながら、ユーザーが一つもしくは複数のパラメータまたは特性を他のパラメータまたは特性とは独立して変化させることを可能にする。上述のように、クラブもしくはクラブヘッドの他の変数、パラメータ、または特性に実質的に変化がないことを確実にしながら、ユーザーが一つもしくは複数のパラメータまたは特性を他のパラメータまたは特性とは独立して変化させることを可能にする、調節部材および／または第二の調節部材には、様々な方法および構造が存在する。一般に、調節部材および／または第二の調節部材はクラブに操作可能に結合しうる。以下の方法および構造を以下で概略的に説明する。1）ボールソケット型ホーゼル／シャフト接続、2）オフセット軸を有する回転可能なホーゼルインサート（一つまたは複数のスリーブ）、および3）各ホーゼルが異なる構成を生成する交換可能なホーゼル。当技術分野において公知であり、使用される他の調節および接続の方法または構造を、本発明を逸脱することなく利用することができる。
【００８３】
本発明の一局面において、図20Aおよび図20Bは、ボールソケット型ホーゼル／シャフト接続、または解放可能な球状接続の説明図を示す。本発明の局面のゴルフクラブヘッドとシャフトとの間の解放可能な球状接続アセンブリ1204は、シャフトアダプタ1220、ホーゼルインサート1230、およびシャフトリテーナ1240を含みうる。ホーゼルインサート1230は、ゴルフクラブヘッド202の内部チャンバ210内に少なくとも部分的に位置しうる。シャフトアダプタ1220はホーゼルインサート1230に解放可能に接続されうる。シャフトリテーナ1240はゴルフクラブシャフト1206に沿って摺動可能に係合され得、ホーゼルインサート1230に固定されうる。これによりシャフトアダプタ1220はホーゼルインサート1230に対して堅く固定される。
【００８４】
ゴルフクラブヘッド1202は、ホーゼルインサート1230を収容するように構成された内部チャンバ1210を含みうる。図20Aに示すように、内部チャンバ1210はホーゼルインサート1230を収容するように構成されうる。ホーゼルインサート1230は内部チャンバ1210内に少なくとも部分的に位置しうる。ホーゼルインサート1230は外周および内周を有する。外周は、ゴルフクラブヘッド1202の内部チャンバ1210に係合するように構成されうる。内周は回転阻止構造1232を含みうる。
【００８５】
図20Aおよび図20Bに見られるように、例示的シャフトアダプタ1220は中空であり得、ゴルフシャフト1206の自由端部分を収容するようにサイズ決めされうる。逆に、シャフトアダプタ1220はまた、ゴルフシャフト1206の自由端において中空部分内に収容されるようにサイズ決めされうる。
【００８６】
シャフトアダプタ1220の下端1224は球状部材によって規定されうる。球状部材1224はホーゼルインサート1230に解放可能にかみ合うように構成されうる。図20Aに見られるように、シャフトアダプタ1220の下端1224は球状部材1224を含み、球状部材は、ホーゼルインサート1230の回転阻止構造1232の少なくとも一部分にかみ合うように構成されている。
【００８７】
本発明のさらなる局面は、方向変化領域を有する球状部材1224に関する。解放可能なゴルフクラブヘッド／シャフト接続アセンブリ1204は、クラブもしくはクラブヘッドの他の変数、パラメータ、または特性に実質的に変化がないことを確実にしながら、クラブフィッター（または他の人）がシャフト1206の自由端（グリップ）に対してクラブヘッド1202（およびその打球面）の様々な位置および／または角度（たとえばフェース角、ライ角、ロフト角など）を調節することを可能にしうる。この接続は、シャフトアダプタ1220の向きを変動させる際に、クラブもしくはクラブヘッドの他の変数、パラメータ、または特性に実質的に変化がないことを確実にしながら、フェース角、ライ角およびロフト角の修正を可能にしうる。
【００８８】
本発明の別の態様において、調節部材および／または第二の調節部材は、クラブもしくはクラブヘッドの他の変数、パラメータ、または特性に実質的に変化がないことを確実にしながら、ユーザーが一つもしくは複数のパラメータまたは特性を他のパラメータまたは特性とは独立して変化させることを可能にする、一つもしくは複数の回転可能ホーゼルインサートまたはスリーブを含みうる。一方または両方の回転可能ホーゼルインサートがオフセット軸を含みうることから、一つまたは複数の該インサートを回転させる際に、有効なクラブヘッド構成が変化する。クラブヘッド構成が変化する際に、これにより、クラブもしくはクラブヘッドの他の変数に実質的に変化がないことが確実でありながら、一つもしくは複数のパラメータまたは特性が他のパラメータまたは特性とは独立して一般に変化する。
【００８９】
一つのスリーブがシャフトに取り付けられうるかまたは係合されうる一方で、別のスリーブがホーゼルに取り付けられうるかまたは係合されうる。また、各スリーブは互いに係合しうる。別の態様においては、一つのスリーブのみがシャフトに取り付けられるかまたは係合されてもよく、あるいは、一つのスリーブのみがホーゼルに取り付けられるかまたは係合されてもよい。上記のように、一つのスリーブまたは二つのスリーブをホーゼルアセンブリ内で回転させる際に、クラブもしくはクラブヘッドの他の変数、パラメータ、または特性に実質的に変化がないことを確実にしながら、一つまたは二つのパラメータをユーザー向けに変化させることができる。
【００９０】
別の態様において、調節部材および／または第二の調節部材は、交換可能なホーゼルインサートを含みうる。このインサートは、クラブもしくはクラブヘッドの他の変数、パラメータ、または特性に実質的に変化がないことを確実にしながら、ユーザーが一つもしくは複数のパラメータまたは特性を他のパラメータまたは特性とは独立して変化させることを可能にする。交換可能なホーゼルインサートは、ホーゼルおよび／またはクラブヘッドに挿入される際に、パラメータの所与のセットを有するクラブヘッドの特定の構成を作り出す。たとえば、第一の交換可能なホーゼルインサートをクラブヘッドに挿入してロックする際に、クラブヘッドはパラメータまたは特性の一つのセットを有しうる。第二の交換可能なホーゼルインサートを第一の交換可能なホーゼルインサートの代わりにクラブヘッドに挿入してロックする際に、クラブヘッドはパラメータまたは特性の異なるセットを有しうる。第二の交換可能なホーゼルインサートを利用することで、クラブもしくはクラブヘッドの他の変数、パラメータ、または特性に実質的に変化がないことを確実にしながら、一つもしくは複数のパラメータを変化させることができる。第三の交換可能なホーゼルインサートを第一および／または第二の交換可能なホーゼルインサートの代わりにクラブヘッドに挿入してロックしてもよい。第三の交換可能なホーゼルインサートを利用することで、クラブもしくはクラブヘッドの他の変数、パラメータ、または特性に実質的に変化がないことを確実にしながら、一つもしくは複数のパラメータを変化させることができる。複数の交換可能なホーゼルインサートを、本発明を逸脱することなく利用することができる。
【００９１】
図21A〜図26は、本発明の例の、ゴルフクラブヘッドとシャフトとの間の解放可能な接続部104を示す。図21Aは解放可能な接続部104の分解図を示す。図21Aに示すように、ゴルフクラブヘッド102とシャフト106との間のこの解放可能な接続部104は、シャフトアダプタ200、ホーゼルアダプタ300、およびホーゼルリング500を含む。一般に、ホーゼルリング500はゴルフクラブヘッド102内のクラブヘッドチャンバ404に係合するように構成され、ホーゼルアダプタ300はロッキングリング500およびゴルフクラブヘッド102に係合するように構成され、シャフトアダプタ200はホーゼルアダプタ300に係合するように構成され、シャフト106はシャフトアダプタ200に係合するように構成される。これらの例示的コンポーネント／パーツの係合の詳細を以下でさらに詳細に説明する。
【００９２】
以下で説明する解放可能な接続部104は、二つの異なるスリーブ、すなわちシャフトアダプタ200およびホーゼルアダプタ300を含む。これら二つの異なるスリーブは、二つの異なるクラブヘッドパラメータを独立して調節する能力を示しうる。さらに、本発明の局面によれば、一つのスリーブを利用することができ、ここでは、ゴルフクラブヘッドの他のパラメータまたは特性に実質的に変化がない（または変化が最小限である）ようにしながら、一つのクラブヘッドパラメータのみを他のパラメータまたは特性とは独立して調節することができるように、シャフトアダプタ200またはホーゼルアダプタ300を除くことができる。別の態様において、シャフトアダプタ200またはホーゼルアダプタ300の一方が軸がずれたまたは角度をなしたボアを含むことがあり、シャフトアダプタ200またはホーゼルアダプタ300の他方が軸がずれたまたは角度をなしたボアを含まないことがある。さらに、本発明の局面によれば、二つの異なるスリーブを軸がずれたまたは角度をなしたボアと共に利用することができるが、それらは、ゴルフクラブヘッドの他のパラメータまたは特性に実質的に変化がない（または変化が最小限である）ようにしながら、一つのクラブヘッドパラメータを独立して調節する能力を示しうる。この態様では、一つのクラブヘッドパラメータのみ、他のパラメータまたは特性とは独立して調節可能である。これらの各調節では、二つの異なるクラブヘッドパラメータを独立して調節する場合であれ、一つのクラブヘッドパラメータを調節する場合であれ、ゴルフクラブヘッドの他のパラメータまたは特性には実質的に変化がない（または変化が最小限である）ようにできる。
【００９３】
この例示的態様においては、シャフトアダプタ200および／またはホーゼルアダプタ300を様々な構成に回転させるために、シャフトアダプタ200もホーゼルアダプタ300もクラブヘッド102から取り外す必要はない。シャフトアダプタ200およびホーゼルアダプタ300は解放可能な接続部104内に捕捉される。この捕捉特徴を実現する例示的な一態様において、シャフトアダプタ300はストップリング205を含みうる。ストップリング205は圧縮Oリングの形態でありうる。ストップリング205は、本発明を逸脱することなくCクリップなどの他の機械的特徴であってもよい。このストップリング205は、ホーゼルアダプタ300をクラブヘッド102から取り外すことなくシャフトアダプタ200から係合解除することを可能にし、それにより、ホーゼルアダプタ300および／またはシャフトアダプタ200をクラブヘッド102から取り外すことなく回転させる。捕捉特徴を利用しない他の態様を想定することができ、ここでは、クラブヘッド102を回転させかつ／またはその構成を変化させるために、シャフトアダプタ200および／またはホーゼルアダプタ300をクラブヘッド102から取り外す必要がありうる。
【００９４】
図21Aおよび図21Bは、解放可能な接続部104の分解図を示す。一般に、ホーゼルリング500はゴルフクラブヘッド102内のクラブヘッドチャンバ404に係合するように構成され、ホーゼルアダプタ300はホーゼルリング500およびゴルフクラブヘッド102に係合するように構成され、シャフトアダプタ200はホーゼルアダプタ300に係合するように構成され、シャフト106はシャフトアダプタ200に係合するように構成される。これらの例示的コンポーネント／パーツの係合の詳細を以下でさらに詳細に説明する。
【００９５】
図22A〜図22Dに示すように、シャフトアダプタ1200は、第一の端部204および反対側の第二の端部206を有する、概して円柱状のボディ202を含む。第一の端部204は、ゴルフクラブシャフト106の端部を収容するための内部円柱状部材208の開口を規定する。第二の端部206は、以下でさらに詳細に説明するように、固定構造（たとえば、この例示的構造ではねじ込み孔210）を含み、固定構造は、シャフトアダプタ200をクラブヘッドボディ102にしっかりと固定することを支援する。さらに、第二の端部206はストップリング205を含む。ストップリング205はシャフトアダプタ200の第二の端部206から半径方向に延びうる。ストップリング205は、シャフトアダプタ200に係合したホーゼルアダプタ300を停止させかつ保持するが、クラブヘッド102から取り外すことなくホーゼルアダプタ300および／またはシャフトアダプタ200の調節および回転を可能にすることが可能でありうる。ストップリング205はシャフトアダプタ200と一体であることができ、すなわち、シャフトアダプタ200の第二の端部206から半径方向に延びるように形成されかつ／またはシャフトアダプタ200の一部となることができる。さらに、ストップリング205は、シャフトアダプタ200の第二の端部206の周りに半径方向に延びるチャネル207に嵌合する、別個の圧縮Oリングでありうる。別個のストップリング205（圧縮Oリング）はゴムでも金属材料でもよい。
【００９６】
図示するように、シャフトアダプタ200の第一の端部204の少なくとも一部分は第一の回転阻止構造212を含む。本発明を逸脱することなく多様な回転阻止構造を設けることができるが、この例示的構造においては、回転阻止構造212は、シャフトアダプタ200の外面の縦軸226の一部分に沿って延びるスプライン212aを構成する。シャフトアダプタ200のスプライン212aは、シャフトアダプタ200がそこに嵌合している部材（たとえば、以下でさらに詳細に説明するようにホーゼルアダプタ）に対する該シャフトアダプタの回転を防止することができる。本発明を逸脱することなく多様な回転阻止構造を使用することができる。これらのスプラインとホーゼルアダプタの円柱状内部との相互作用を以下でさらに説明する。本発明を逸脱することなくスプラインの他の構成を利用することができる。
【００９７】
第一の回転阻止構造212は、ホーゼルアダプタ300が第一の回転阻止構造212から係合解除されて、シャフトアダプタ200になお捕捉されながら回転することが可能なように、シャフトアダプタ200の長さに沿って延びうる。
【００９８】
図22Aおよび図22Bは、シャフトアダプタ200の第一の端部204が拡張部分214を含むことをさらに示す。拡張部分214は、シャフトアダプタ200がホーゼルアダプタ300およびクラブヘッドボディ102中に延びることを防止する停止部を設け、シャフトアダプタ200をホーゼルアダプタ300およびクラブヘッドボディ102に固定するための強力な基礎を設ける。また、第一の端部204の外形は、シャフト106とホーゼルアダプタ300とクラブヘッド102との間の円滑な移行、および従来の美的外観を実現するように、先細り状でありうる。
【００９９】
たとえば図22Cに示すように、この例示的シャフトアダプタ200の他の特徴は、「軸がずれた」もしくは角度をなしたボアホールまたは内部チャンバ208を含み、その中にシャフト106が収容される。より具体的には、この説明される例において、シャフトアダプタ200の円柱状外面は第一の軸方向に延び、ボアホール208の円柱状内面は、第一の軸方向とは異なる第二の軸方向に延び、それによりシャフトアダプタのオフセット角が作り出される。このようにして、シャフトアダプタ200の外側が、ホーゼルアダプタ300の内側、および開口のそれに対応する一定の軸方向を維持する一方で、シャフト106はクラブヘッド102およびホーゼルアダプタ300からクラブヘッド102、ホーゼルアダプタ300、およびクラブヘッドの打球面に対して異なる調節可能な角度で延びる。この所与の例において、シャフトの位置および／または角度はゴルフクラブヘッド102の所与のフェース角に対応する。一つの回転位置はニュートラルフェースであり得、一つの回転位置はオープンフェースであり得、一つの回転位置はクローズドフェースでありうる。本発明を逸脱することなく他の回転位置を利用することができる。シャフト位置および／またはフェース角は、たとえばホーゼルアダプタ300およびクラブヘッドホーゼルに対してシャフトアダプタ200を回転させることで調節することができる。
【０１００】
本発明のいくつかの例によれば、第一の軸方向と第二の軸方向との間に任意の所望のシャフトアダプタのオフセット角を維持することができるが、このシャフトアダプタのオフセット角またはフェース角の調節は0.25度〜10度、いくつかの例では0.5度〜8度、0.75度〜6度、さらには1度〜4度でありうる。本発明のより具体的な例において、シャフトアダプタのオフセット角またはフェース角の調節は約1.5度オフセットまたは2.0度オフセットでありうる。
【０１０１】
図23A〜図23Eは、本発明の例示的ホーゼルアダプタ300を示す。図示するように、ホーゼルアダプタ300は形状が概して円柱状である。ホーゼルアダプタ300は第一の端部304および反対側の第二の端部306を有する。第一の端部304は、シャフトアダプタ200を収容するためのボアホール308の開口を規定する。第一の端部304内で、かつボアホール308の内部側面に沿って、第一の端部304は、シャフトアダプタ200上の第一の回転阻止構造212に（たとえば回転に対してかみ合うように）係合するように構成された、第二の回転阻止構造312を含む。
【０１０２】
図23Cに示すように、ホーゼルアダプタ300の第一の端部304の内部の少なくとも一部分は第二の回転阻止構造312を含む。本発明を逸脱することなく多様な回転阻止構造を設けることができるが、この例示的構造においては、第二の回転阻止構造312は、内部縦軸に沿って延びるスプライン312aを構成する。ホーゼルアダプタ300のスプライン312aは、シャフトアダプタ200がそこに嵌合しているホーゼルアダプタ300に対する（最終的にはゴルフクラブヘッドに対する）該シャフトアダプタの回転を防止することができる。ホーゼルアダプタ300のスプライン312a、およびシャフトアダプタ200のスプライン212aは、互いに相互作用することで、ホーゼルアダプタ300内でのシャフトアダプタ200の回転数を制限するように構成されうる。これについて以下でさらに説明する。
【０１０３】
たとえば図23Cに示すように、この例示的ホーゼルアダプタ300の他の特徴は、「軸がずれた」もしくは角度をなしたボアホールまたは内部チャンバ308を含み、その中にシャフトアダプタ200が収容される。より具体的には、この説明される例において、ホーゼルアダプタ300の円柱状外面は第一の軸方向に延び、ボアホール308の円柱状内面は、第一の軸方向とは異なる第二の軸方向に延び、それによりホーゼルアダプタのオフセット角が作り出される。このようにして、ホーゼルアダプタ300の外側が、クラブヘッドチャンバ404およびホーゼルリング500の内側、ならびに開口のそれに対応する一定の軸方向を維持する一方で、シャフトアダプタ200（したがってシャフト106）はクラブヘッド102から、クラブヘッド102、ホーゼルアダプタ300、およびクラブヘッドの打球面に対して異なる調節可能な角度で延びる。この所与の例において、シャフトの位置および／または角度は所与のロフト角に対応する。ロフト角の回転位置は、約7.5度から出発して12.5度までのロフト角によって規定されうる。本発明を逸脱することなく、より低いおよび高い角度で出発するロフト角の同様の構成を利用することができる。クラブヘッド位置および／またはロフト角は、たとえばホーゼルリング500およびクラブヘッド102に対してホーゼルアダプタ300を回転させることで調節することができる。
【０１０４】
本発明のいくつかの例によれば、第一の軸方向と第二の軸方向との間に任意の所望のホーゼルアダプタのオフセット角を維持することができるが、このホーゼルアダプタのオフセット角またはフェース角の調節は0.25度〜10度、いくつかの例では0.5度〜8度、0.75度〜6度、さらには1度〜4度でありうる。本発明のより具体的な例において、ホーゼルアダプタのオフセット角またはフェース角の調節は約1度または1.5度オフセットでありうる。
【０１０５】
ホーゼルアダプタ300の第二の端部306は、固定部材408を収容するための第二の開口310を規定する。一般に、第二の開口310は、固定部材408がシャフトアダプタ200中のねじ込み孔210に係合するために第二の開口310を自由に通過可能なようにサイズ決めされる。あるいは、所望であれば、固定部材408は第二の開口310においてホーゼルアダプタ300に係合してもよい（たとえば、第二の開口310は、固定部材408上に設けられるねじ山に係合するねじ山を含んでもよい）。固定部材408は球状座金408Aおよびねじ保定装置408Bを含んでもよい。
【０１０６】
図24Bに示すように、球状座金408Aは、ねじ込みボルト部材408のヘッドにかみ合うかまたは係合する側面に、凸面430を有しうる。さらに、ねじ込みボルト部材408のヘッドは、球状座金408Aの凸面430にかみ合う凹面432を有しうる。かみ合うこの凹凸面430-432は、ねじ込みボルト部材408、および解放可能な接続部104の残りにおいて引き起こされうる、軸がずれたスリーブの回転からのずれを支援し、可能にする。
【０１０７】
図21Aに示すように、固定システムはねじ保定装置408Bも含みうる。ねじ保定装置408Bはクラブヘッドチャンバ404に位置しうる。さらに、ねじ保定装置408Bは、ねじ保定装置が装着プレート410よりも大きくなるようにサイズ決めされうる。ねじ保定装置408Bは、ねじ込みボルト部材408を保定し、ねじ込みボルト部材408がクラブヘッド102から転落しないようにする。
【０１０８】
ホーゼルアダプタ300はゴルフクラブヘッド102に対して回転不可能であってもよい。図23Aおよび図23Bに示すように、ホーゼルアダプタ300の外面302に沿った第一の端部304の外側は、ホーゼルリング500上の第四の回転阻止構造512に（たとえば回転に対してかみ合うように）係合するように構成された、第三の回転阻止構造322を含む。図示するように、ホーゼルアダプタ300の第一の端部304の少なくとも一部分は、ホーゼルアダプタの外面302に第三の回転阻止構造322を含む。本発明を逸脱することなく多様な回転阻止構造を設けることができるが、この例示的構造においては、回転阻止構造322は、ホーゼルアダプタ300の外面の縦軸に沿って延びるスプライン322aを構成する。ホーゼルアダプタ300の外面のスプライン322aは、ホーゼルアダプタ300がそこに嵌合している部材（たとえば、以下でさらに詳細に説明するようにクラブヘッドまたはホーゼルリング500）に対する該ホーゼルアダプタの回転を防止することができる。第三の回転防止構造322は、ホーゼルアダプタ300の縦方向長さ全体に沿って延びうる。
【０１０９】
図23Aおよび図23Bは、ホーゼルアダプタ300の第一の端部304が拡張部分318を含むことをさらに示す。拡張部分318は、ホーゼルアダプタ300がクラブヘッドボディ中に延びることを防止する停止部を設け、ホーゼルアダプタ300をクラブヘッドボディ102に固定するための強力な基礎を設ける。また、第一の端部304の外形は、シャフト106とクラブヘッド102との間の円滑な移行、および従来の美的外観を実現するように、先細り状でありうる。
【０１１０】
ホーゼルアダプタ300は、本発明を逸脱することなく任意の所望の材料および任意の所望の数の独立したパーツから作製することができる。この説明される例においては、ホーゼルアダプタ300全体が金属または金属合金、プラスチックなどの従来の材料から単体ワンピース構成として作製される。本発明の少なくともいくつかの例示的構造において、ホーゼルアダプタ300はチタン、アルミニウム、マグネシウム、鋼、または他の金属もしくは金属合成材料から作製される。さらに、ホーゼルアダプタ300は自己強化ポリプロピレン（SRP）、たとえばPrimoSpire（登録商標）SRPから作製されうる。ボアおよび／または表面の構造（たとえばスプライン312a、スプライン322a、および拡張部分318）は、本発明を逸脱することなく、当技術分野において一般的に公知でありかつ／または使用される生成方法、たとえばドリル加工、タップ加工、機械加工、旋盤加工、押出、研削、鋳造、成形などを含む、任意の所望の様式で、材料中に生成することができる。シャフトアダプタ200およびホーゼルアダプタ300ならびに任意の他のパーツは、金属もしくはプラスチック、または任意の他の好適な材料の任意の組み合わせでありうる。たとえば、ホーゼルアダプタ300が高強度プラスチックでありうる一方で、シャフトアダプタ200は金属で作製される。本発明を逸脱することなく他の組み合わせを利用することができる。
【０１１１】
例示的ホーゼルリング500を図21Aおよび図21Bに示す。図示するように、ホーゼルリング500は形状が概して円柱状である。ボアホール508の内部側面に沿って、ホーゼルリング500は、ホーゼルアダプタ300上の第三の回転阻止構造322に（たとえば回転に対してかみ合うように）係合するように構成された、第四の回転阻止構造512を含む。ホーゼルリング500の内側の少なくとも一部分は第四の回転阻止構造512を含む。本発明を逸脱することなく多様な回転阻止構造を設けることができるが、この例示的構造においては、第四の回転阻止構造512は、内部縦軸に沿って延びるスプライン512aを構成する。ホーゼルリング500のスプライン512aは、ホーゼルアダプタ300がそこに嵌合しているクラブヘッド102に対する該ホーゼルアダプタの回転を防止することができる。ホーゼルリング500のスプライン512a、およびホーゼルアダプタ300の外部スプライン322aは、互いに相互作用することで、ホーゼルリング500内でのホーゼルアダプタ300の回転数を制限するように構成されうる。この相互作用について以下でさらに説明する。
【０１１２】
ホーゼルリング500はゴルフクラブヘッド102に対して回転不可能であってもよい。例示的態様において、ホーゼルリング500は、当技術分野において公知でありかつ／または使用される任意の手段、たとえば接着剤、グルー、エポキシ、セメント、溶接、ろう付け、はんだ付け、または他の融着技術などによってクラブヘッドチャンバ404に固定可能である。図21Aは、クラブヘッドチャンバ404内のクラブヘッド102に固定されたホーゼルリング500を示す。さらに、ホーゼルリング500はクラブヘッド102の一体部分であり得、ここでホーゼルリング500はクラブヘッドチャンバ404として成形されうる。
【０１１３】
ホーゼルリング500は、本発明を逸脱することなく任意の所望の材料および任意の所望の数の独立したパーツから作製することができる。この説明される例においては、ホーゼルリング500全体が金属または金属合金、プラスチックなどの従来の材料から単体1ピース構成として作製される。本発明の少なくともいくつかの例示的構造において、ホーゼルリング500はチタン、アルミニウム、マグネシウム、鋼、または他の金属もしくは金属合成材料から作製される。ボアおよび／または表面の構造（たとえばスプライン512a）は、本発明を逸脱することなく、当技術分野において一般的に公知でありかつ／または使用される生成方法、たとえばドリル加工、タップ加工、機械加工、旋盤加工、押出、研削、鋳造、成形などを含む、任意の所望の様式で、材料中に生成することができる。
【０１１４】
図24A〜図26は解放可能な接続部104を示し、すべてのコンポーネントが一緒に嵌合していることを示す。さらに、図21A、図21B、図24A、図25および図26に示すように、解放可能な接続部104はシャフトリング107も含みうる。シャフトリング107はシャフト106からシャフトアダプタ200へのさらなる円滑な移行を実現することができる。
【０１１５】
シャフトアダプタ200（および取り付けられたシャフト106）ならびにホーゼルアダプタ300の回転位置の調節を、図21Aとの関連で、以下でさらに詳細に説明する。ホーゼルアダプタ300に対するシャフトアダプタ200の回転位置を変化させることで、ゴルフクラブ全体のロフト角、フェース角、またはライ角などの一つまたは複数の様々なパラメータを調節することができる。図21A〜図26に示す例示的態様においては、ホーゼルアダプタ300に対するシャフトアダプタ200の回転位置を変化させることでフェース角を調節することができる。インセット距離、オフセット距離、フェードバイアス、ドローバイアスなどのクラブヘッドの他のパラメータを調節可能に設計することができる。さらに、ホーゼルリング500およびクラブヘッド102に対するホーゼルアダプタ300の回転位置を変化させることで、ゴルフクラブ全体の一つまたは複数の様々なパラメータを調節することができる。図21A〜図26に示す例示的態様においては、ホーゼルリング500およびクラブヘッド102に対するホーゼルアダプタ300の回転位置を変化させることでロフト角を調節することができる。これらの具体的態様において、シャフトアダプタ200およびホーゼルアダプタ300は独立した軸がずれたボアを有し、軸がずれたボアによってこれらのアダプタがフェース角（シャフトアダプタ200）およびロフト角（ホーゼルアダプタ300）を独立して調節することが可能になる。
【０１１６】
ユーザーがクラブヘッドの「セッティング」（たとえばシャフト106に対するクラブヘッドボディ102の位置および／または向き）を容易に同定することを可能にするために、シャフト106、シャフトアダプタ200、ホーゼルアダプタ300、および／またはクラブヘッド102のいずれかまたはすべては、マーキングまたはインジケータを含みうる。図22Aおよび図22Bは、シャフトアダプタ200上（たとえば拡張部分214）上のインジケータ220を示す。図23Aおよび図23Bは、ホーゼルアダプタ300上（たとえば拡張部分318）上のインジケータ320を示す。クラブフィッターまたは他のユーザーは、様々なインジケータの相対位置を記録することで、クラブヘッドボディ102およびその打球面に対するシャフト106の位置を容易に決定し、知ることができる。所望であれば、インジケータ（たとえばインジケータ220または320）は、具体的に同定されたロフト角およびフェース角などの特定の定量的情報に関連してもよく、かつ／またはそれを含みうる。
【０１１７】
ゴルフクラブの調節可能性の設計は、ゴルフクラブヘッド102の具体的な調節可能性を可能にする、かみ合うパーツおよび協働する係合面を有することを一般に含んでいる。しかし、これらの現行の設計は、ロフト角、フェース角、およびライ角に関する調節可能な組み合わせの多くの可能性を提供する。この調節可能性はゴルファーにいくつかの利点を与えるが、ゴルファーに対する多数のオプションはゴルファーにとってわかりにくく、扱いにくいこともある。特定の例示的態様において、本設計、具体的には様々な回転阻止構造のスプライン構成は、ゴルファーにとってよりユーザーフレンドリーな調節可能性オプションの限定的なセットを提供する。たとえば、調節可能性は三つの異なる調節可能なロフト角および三つの異なる調節可能なフェース角にのみ限定されることがある。ロフト角は7.5度から12.5度まで変動しうる。フェース角はニュートラル、オープン、およびクローズドと一般に呼ばれることがある。したがって、各クラブヘッドは有限数の回転可能な位置、たとえば合計九つの異なるフェース角およびロフト角構成を有する。回転阻止構造の構成によってシャフトアダプタおよびホーゼルアダプタの回転位置が限定されることで、より単純で簡素化された調節特徴がゴルファーに与えられる。したがって、本明細書における図面および説明によれば、様々なスプライン構成は、調節可能性のオプションを具体的に限定するためにさらなる位置を防止しながら（たとえば各スプラインを一緒に嵌合することはできない）、特定の位置が所望の調節を提供することを可能にするように構造化された、係合面を有する。
【０１１８】
別の例示的オプションセットは、四つの異なる調節可能なロフト角および三つの異なる調節可能なフェース角を使用し、それにより、合計12個の異なるフェース角およびロフト角の構成を有するクラブヘッドを作り出すことである。別の例示的オプションセットは、五つの異なる調節可能なロフト角および三つの異なる調節可能なフェース角を使用し、それにより、合計15個の異なるフェース角およびロフト角の構成を有するクラブヘッドを作り出すことである。別の例示的オプションセットは、七つの異なる調節可能なロフト角および三つの異なる調節可能なフェース角を使用し、それにより、合計21個の異なるフェース角およびロフト角の構成を有するクラブヘッドを作り出すことである。本発明を逸脱することなく、調節可能なフェース角およびロフト角の他の構成を利用することができる。
【０１１９】
図27Aおよび図27Bの例示的態様は、五つのロフト角および三つのフェース角を調節可能にするスプライン構成を示す。調節可能なロフト角としては8度、9度、10度、11度、および12度を挙げることができる。図31A〜図31Eはこの所与のクラブヘッドの例示的ロフト角を示す。調節可能なフェース角としてはオープン（「O」）、ニュートラル（「N」）およびクローズド（「C」）を挙げることができる。図32A〜図32Cはこの所与のクラブヘッドの例示的フェース角を示す。図30の例示的態様は、五つのロフト角および三つのフェース角を調節可能にするスプライン構成を示す。このスプライン構成は、8.5度、9.5度、10.5度、11.5度、および12.5度を含みうるロフト角の調節可能性を可能にする。調節可能なフェース角としてはオープンまたは左（「L」）、ニュートラル（「N」）、およびクローズドまたは右（「R」）を挙げることができる。図29の例示的態様は、調節可能な七つのロフト角および三つのフェース角を有するスプライン構成を示す。このスプライン構成は、8度、9度、9.5度、10度、10.5度、11度、および12度（図示せず）を含む調節可能なロフト角を含む。調節可能なフェース角としてはオープン（「O」）、ニュートラル（「N」）およびクローズド（「C」）を挙げることができる。図28A〜図30は、本発明を逸脱することのない調節可能性オプションの他の例示的態様を示す。
【０１２０】
「ニュートラル」フェース角が、フェースまたはクラブヘッドの基準点／基準フェース角であって、実際の「ニュートラル」フェース角ではないことがあることを理解すべきである。たとえば、「ニュートラル」とは、フェースの1度クローズドのフェース角を表すことがある。2度のフェース角調節を使用する場合、「クローズド」は3度クローズドのフェースを示すであろうし、「オープン」は1度オープンのフェースを示すであろう。別の例において、「ニュートラル」とは、フェースの3度オープンのフェース角を表すことがある。2度のフェース角調節を使用する場合、「クローズド」は1度オープンのフェースを示すであろうし、「オープン」は5度オープンのフェースを示すであろう。
【０１２１】
上記のような、シャフトアダプタ200およびホーゼルアダプタ300の回転運動、ならびに調節可能なフェース角およびロフト角の位置を、本発明がどのようにして提供し、限定するかを示すために、図21A〜図26に示す態様のスプライン構成をここで説明する。図21A〜図26の態様は、三つのロフト角および三つのフェース角が調節可能なスプライン構成を示す。ホーゼルアダプタ300の内部スプライン312a、およびシャフトアダプタ200のスプライン212aは、互いに係合することで、ホーゼルアダプタ300内でのシャフトアダプタ200の回転数を制限し、それによりゴルフクラブヘッド102の構成の具体的な数を規定するように構成されうる。さらに、ホーゼルリング500のスプライン、およびホーゼルアダプタ300の外部スプライン322aも、互いに係合することで、ホーゼルリング500内でのホーゼルアダプタ300の回転数を制限するように構成されうる。たとえば、ホーゼルリング500、およびホーゼルアダプタ300の外部スプライン322のスプライン構成は、三つの異なる回転位置（たとえば三つの異なるロフト角）で回転することに限定されうる。
【０１２２】
ゴルフクラブを組み立てる例示的方法の説明
本発明は、ゴルフクラブヘッドおよびゴルフクラブの組立および製造に関する様々な方法を提供する。在庫管理を改善する方法、およびゴルフクラブの選択肢を販売業者に提供するための方法も開示される。
【０１２３】
さらに、本発明の別の局面は、本発明の例の調節部材を使用してゴルフクラブを組み立てる方法に関しうる。そのような方法は（a）少なくとも第一のベースパラメータを有するゴルフクラブヘッドを（たとえばそれを製造すること、第三者の供給源から得ることなどにより）設ける工程、（b）第一のベースパラメータ値から一つもしくは複数の代替値に第一のベースパラメータを実質的に独立して調節することを可能にする少なくとも一つの調節部材（本明細書に記載の調節部材を含む）を生成する工程、（c）クラブヘッドに操作可能に結合し、調節を実現するために協働面を利用可能である調節部材をヘッドに（たとえばセメントもしくは接着剤を経由して、他の融着技術もしくは機械固定技術を経由して、または解放可能に、など）係合させる工程、（d）シャフトおよびグリップをゴルフクラブヘッドおよび／または調節部材に係合させる工程を含むことができ、工程（a）〜（d）は再構成可能な第一のゴルフクラブを生成し、このゴルフクラブによって、第二のゴルフクラブを生成するために第二のベースパラメータ値を有する少なくとも一つの他のゴルフクラブヘッドを設ける必要がなくなる。
【０１２４】
再構成可能なゴルフクラブはベースロフト角（ベースラインロフト角またはニュートラルロフト角と呼ばれることもある）を含みうる。このベースロフト角としては、特定のゴルフクラブに適した任意のロフト角を挙げることができ、たとえば、ドライバタイプゴルフクラブは約10.5度のロフト角という公称ベースロフト角を有しうる。本発明を逸脱することなく他のロフト角を利用することができる。
【０１２５】
本方法は、クラブロフト角をベースロフト角から変化させることをさらに含みうる。本発明の例の調節部材は、ユーザーがクラブロフト角をベースロフト角から個々の増加単位で、たとえば、1度、プラス公差、たとえば±0.3度変化させることを可能にしうる。したがって、調節部材は、ユーザーが例示的ベースクラブロフト角を9.5度または11.5度に変化させることでロフト角を有効に1度低下または上昇させることを可能にしうる。さらに、調節部材は、ユーザーがクラブロフト角をベースロフト角または基準ロフト角から最大±4度、プラス公差、たとえば0.3度変化させることを可能にしうる。たとえば、調節部材はユーザーが公称ベースロフト角を6.5度、7.5度、8.5度、9.5度、11.5度、12.5度、13.5度、または14.5度に変化させることを可能にしうる。ロフト角を変化させる際に、ゴルフクラブヘッドまたはゴルフクラブの任意の他のパラメータ、変数または特性、たとえばライ角、フェース角、バルジ曲率、ロール曲率、フェース中心の場所、クラブヘッド重心の場所、ソール接触点の場所、重心を通過する様々な軸の周りのクラブヘッドの慣性モーメント、などに実質的に変化がない（または変化が最小である）ことがある。本発明の例の調節部材は、クラブもしくはクラブヘッドの他の変数、パラメータ、または特性に実質的に変化がないことを確実にしながら、単一のクラブヘッドについてユーザーが少なくとも三つの異なるロフトから選択することを可能にしうる。
【０１２６】
別の例において、または上記の例に加えて、再構成可能なゴルフクラブはベースフェース角（ベースラインフェース角またはニュートラルフェース角と呼ばれることもある）を含みうる。このベースフェース角としては、特定のゴルフクラブに適した任意のフェース角を挙げることができ、たとえば、ドライバタイプゴルフクラブは約1度オープンまたはニュートラルフェース角もしくは0度という公称ベースフェース角を有しうる。本発明を逸脱することなく他のベースフェース角を利用することができる。
【０１２７】
本方法は、クラブフェース角をベースフェース角から変化させることをさらに含みうる。本発明の例の第二の調節部材は、ユーザーがクラブフェース角をベースフェース角から個々の増加単位で、たとえば、2度、プラス公差、たとえば±0.5度変化させることを可能にしうる。したがって、調節部材は、ユーザーが例示的ベースクラブフェース角をニュートラルフェース角から＋2度オープンフェース角または−2度クローズドフェース角に変化させることで有効にフェース角を2度低下または上昇させることを可能にしうる。さらに、調節部材は、ユーザーがクラブフェース角をベースフェース角から最大±4度、プラス公差、たとえば0.5度変化させることを可能にしうる。たとえば、調節部材は、ユーザーが公称ベースフェース角をニュートラルフェース角から＋4度オープンフェース角または−4度クローズドフェース角に変化させることを可能にしうる。フェース角を変化させる際に、ゴルフクラブヘッドまたはゴルフクラブの任意の他のパラメータ、変数、または特性、たとえばライ角、ロフト角、バルジ曲率、ロール曲率、フェース中心の場所、クラブヘッド重心の場所、ソール接触点の場所、重心を通過する様々な軸の周りのクラブヘッドの慣性モーメント、などに実質的に変化がないことがある。本発明の例の調節部材は、クラブもしくはクラブヘッドの他の変数、パラメータ、または特性に実質的に変化がないことを確実にしながら、単一のクラブヘッドについてユーザーが少なくとも三つの異なるフェース角から選択することを可能にしうる。
【０１２８】
ゴルフクラブを製造する別の方法は、小売業者への流通または販売のために、本発明の例の調節部材を使用してゴルフクラブを組み立てる方法に関する。そのような方法は（a）少なくとも第一のベースパラメータを有するゴルフクラブヘッドを製造する工程、（b）第一のベースパラメータ値から少なくとも二つの代替構成に第一のベースパラメータを実質的に独立して調節することを可能にする少なくとも一つの調節部材を生成する工程、（c）クラブヘッドに操作可能に結合し、調節を実現するために協働面を利用可能である調節部材をヘッドに（たとえばセメントもしくは接着剤を経由して、他の融着技術もしくは機械固定技術を経由して、または解放可能に、など）係合させる工程、（d）シャフトおよびグリップをゴルフクラブヘッドおよび／または調節部材に係合させる工程を含むことができ、工程（a）〜（d）は再構成可能な第一のゴルフクラブを生成し、このゴルフクラブによって、第二のゴルフクラブを生成するために第二のベースパラメータ値を有する少なくとも一つの他のゴルフクラブヘッドを設ける必要がなくなる。
【０１２９】
たとえば、再構成可能なゴルフクラブはベースロフト角（ベースラインロフト角またはニュートラルロフト角と呼ばれることもある）を含みうる。このベースロフト角としては、特定のゴルフクラブに適した任意のロフト角を挙げることができ、たとえば、ドライバタイプゴルフクラブは約10.5度のロフト角という公称ベースロフト角を有しうる。本発明を逸脱することなく他のロフト角を利用することができる。
【０１３０】
本方法は、クラブロフト角をベースロフト角から変化させることをさらに含みうる。本発明の例の調節部材は、ユーザーがクラブロフト角をベースロフト角から個々の増加単位で、たとえば、1度、プラス公差、たとえば±0.3度変化させることを可能にしうる。したがって、調節部材は、ユーザーが例示的ベースクラブロフト角を8.5度または10.5度に変化させることでロフト角を有効に1度低下または上昇させることを可能にしうる。さらに、調節部材は、ユーザーがクラブロフト角を基準ロフト角から最大±4度、プラス公差、たとえば0.3度変化させることを可能にしうる。たとえば、調節部材はユーザーが公称ベースロフト角を5.5度、6.5度、7.5度、10.5度、11.5度、12.5度、または13.5度に変化させることを可能にしうる。ロフト角を変化させる際に、ゴルフクラブヘッドまたはゴルフクラブの任意の他のパラメータ、変数、または特性、たとえばライ角、ロフト角、バルジ曲率、ロール曲率、フェース中心の場所、クラブヘッド重心の場所、ソール接触点の場所、重心を通過する様々な軸の周りのクラブヘッドの慣性モーメント、などに実質的に変化がないことがある。本発明の例の調節部材は、クラブもしくはクラブヘッドの他の変数、パラメータ、または特性に実質的に変化がないことを確実にしながら、単一のクラブヘッドについてユーザーが少なくとも三つの異なるロフトから選択することを可能にしうる。
【０１３１】
別の例において、または上記の例に加えて、再構成可能なゴルフクラブはベースフェース角（ベースラインフェース角またはニュートラルフェース角と呼ばれることもある）を含みうる。このベースフェース角としては、特定のゴルフクラブに適した任意のフェース角を挙げることができ、たとえば、ドライバタイプゴルフクラブは約1度オープンまたはニュートラルフェース角0度という公称ベースフェース角を有しうる。本発明を逸脱することなく他のベースフェース角を利用することができる。
【０１３２】
本方法は、クラブフェース角をベースフェース角から変化させることをさらに含みうる。第二の調節部材を含みうる、本発明の例の調節部材は、ユーザーがクラブロフト角をベースロフト角から個々の増加単位で、たとえば、2度、プラス公差、たとえば±0.5度変化させることを可能にしうる。したがって、調節部材は、ユーザーが例示的ベースクラブフェース角をニュートラルフェース角から＋2度オープンフェース角または−2度クローズドフェース角に変化させることで有効にフェース角を2度低下または上昇させることを可能にしうる。さらに、調節部材は、ユーザーがクラブフェース角をベースフェース角から最大±4度、プラス公差、たとえば0.5度変化させることを可能にしうる。たとえば、調節部材は、ユーザーが公称ベースフェース角をニュートラルフェース角から＋4度オープンフェース角または−4度クローズドフェース角に変化させることを可能にしうる。フェース角を変化させる際に、ゴルフクラブヘッドまたはゴルフクラブの任意の他のパラメータ、変数、または特性、たとえばライ角、ロフト角、バルジ曲率、ロール曲率、フェース中心の場所、クラブヘッド重心の場所、ソール接触点の場所、重心を通過する様々な軸の周りのクラブヘッドの慣性モーメント、などに実質的に変化がないことがある。本発明の例の調節部材は、クラブもしくはクラブヘッドの他の変数、パラメータ、または特性に実質的に変化がないことを確実にしながら、単一のクラブヘッドについてユーザーが少なくとも三つの異なるフェース角から選択することを可能にしうる。
【０１３３】
さらに、本方法は、第一のシャフトおよびグリップとは異なる特性を有する第二のシャフトおよびグリップをゴルフクラブヘッドおよび／または調節部材に係合させる工程を含みうる。さらに、本方法は、第一のシャフトおよびグリップならびに第二のシャフトおよびグリップとは異なる特性を有する第三のシャフトおよびグリップをゴルフクラブヘッドおよび／または調節部材に係合させる工程を含みうる。
【０１３４】
購入者／小売方法
本発明のさらなる例示的局面として、本明細書に記載のゴルフクラブの購入者に小売段階でオプションの包括的な選択肢を提供することができ、ゴルフクラブを提供する小売業者は提供した選択肢について減少した量の在庫を維持することができる。
【０１３５】
第一の例において、小売業者は、購入用のゴルフクラブヘッドおよび販売用のシャフトアセンブリ、ならびに完全なゴルフクラブを提供することができる。図35A〜図36Bは、ゴルフクラブの様々な先行技術の小売陳列、および本発明の局面のゴルフクラブの小売陳列システムを示す。図35A〜図36Bに示すように、シャフトアセンブリはたとえば四つの異なるフレックスレーティング、たとえばシニア（A）フレックス、レギュラー（R）フレックス、スティッフ（S）フレックス、またはエクストラスティッフ（X）フレックス、および単一のロフト（たとえば10.5度のベースロフト）で提供することができる。従来、小売業者は、提供される各シャフトフレックスについて複数のロフト、たとえば8.5度、9.5度、10.5度、11.5度、および12.5度の在庫を抱える必要があったであろう。たとえば、小売業者は、購入者に対する十分な供給を確実にするために特定のゴルフクラブモデルに利用可能な各シャフトフレックスおよびロフトの25個の単位を任意の所与の時点で手元に置いておこうとすることがある。したがって、小売業者は約500種の従来のゴルフクラブの在庫（25 A-フレックス8.5度ロフトゴルフクラブ、25 A-フレックス9.5度ロフトゴルフクラブ、25 S-フレックス8.5度ロフトゴルフクラブ、25 S-フレックス9.5度ロフトゴルフクラブ、25 R-フレックス8.5度ロフトゴルフクラブ、25 R-フレックス9.5度ロフトゴルフクラブ、25 X-フレックス8.5度ロフトゴルフクラブ、25 X-フレックス9.5度ロフトゴルフクラブなど）を維持することが必要なことがある。本明細書において教示される原理を組み込む販売用ゴルフクラブを提供することで、小売業者は、100種の組立ゴルフクラブの在庫（25 A-フレックスおよび可変ロフト角調節ゴルフクラブ、25 R-フレックスおよび可変ロフト角調節ゴルフクラブ、25 S-フレックスおよび可変ロフト角調節ゴルフクラブ、ならびに25 X-フレックスおよび可変ロフト角調節ゴルフクラブ）しか抱える必要がなくなるであろうし、ここでは、調節部材によってゴルフクラブがベースロフトから所望の残りのロフトに（たとえば10.5度から8.5度、9.5度、11.5度、または12.5度に）調節されるであろう一方で、他のクラブまたはクラブヘッドパラメータは特定の範囲内で実質的に一定にとどまる。在庫がこうして減少することで、小売業者が任意の所与の時点で十分な在庫を手元に置いておくために購入することが必要であろうゴルフクラブの数が劇的に減少し、これによって浮いたキャッシュフローは他に投資することができる。さらに、在庫の減少により、保管空間の要件が劇的に減少して、固定費が著しく減少するであろう。
【０１３６】
第二の例において、小売業者は、本明細書において教示される原理によるゴルフクラブヘッド（またはゴルフクラブヘッドアセンブリ）およびシャフト（またはシャフトアセンブリ）を含む販売用の未組立ゴルフクラブを提供することができる。シャフト（またはシャフトアセンブリ）は四つの異なるフレックスレーティング、たとえばシニア（A）フレックス、レギュラー（R）フレックス、スティッフ（S）フレックス、またはエクストラスティッフ（X）フレックスを有し得、ゴルフクラブヘッドは単一のベースロフト（たとえば10.5度）で提供することができる。上述の同様の戦略を組み込むがゴルフクラブヘッドおよびシャフトアセンブリの別々の在庫を維持することで、小売業者は在庫をさらに減少させ、したがって固定費をさらに減少させ、キャッシュフローを増大させることができる。たとえば、本明細書において教示される原理を組み込む販売用ゴルフクラブヘッドおよびシャフトアセンブリを提供することで、小売業者は、100種のシャフトアセンブリ（25 A-フレックス、25 R-フレックス、25 S-フレックス、および25 X-フレックス）ならびに25種のゴルフクラブヘッドの在庫しか抱える必要がなくなるであろうし、ここでは、調節部材によってゴルフクラブがベースロフトから所望の残りのロフトに（たとえば10.5度から8.5度、9.5度、11.5度、または12.5度に）調節されるであろう一方で、他のクラブまたはクラブヘッドパラメータは特定の範囲内で実質的に一定にとどまる。
【０１３７】
図41Aは、ゴルフクラブドライバのモデルに関するサンプル選択肢、小売提供形態または小売陳列300の先行技術モデルを示す。図41Aに示すように、小売陳列300は、五つの異なるロフト角310を有するゴルフクラブドライバを含み、これらのロフト角としてはロフト角8.5度311、9.5度312、10.5度313、11.5度314、および12.5度315が挙げられる。また、小売陳列300は、各ロフト角構成310内で、四つの異なるシャフトフレックス構成320を有するゴルフクラブドライバを含み、これらの構成としてはシニア（A）フレックス、レギュラー（R）フレックス、スティッフ（S）フレックス、またはエクストラスティッフ（X）フレックスといったシャフトフレックス320が挙げられる。ゴルフクラブモデルのこれらの例示的構成では、五つの異なるロフト角構成310および四つの異なるシャフトフレックス構成320を実現する20種の異なるゴルフクラブヘッドが存在しうる。
【０１３８】
図41Bは、ゴルフクラブドライバのモデルに関するサンプル選択肢、小売提供形態、または小売陳列350の本発明の局面のモデルを示す。図示され、図41Bに示す小売提供形態350において提供されるゴルフクラブドライバは、調節部材を含むゴルフクラブを含み、調節部材は、ユーザーがロフト角とフェース角との両方を互いに独立して変化させることを可能にする。さらに、小売陳列350における販売用に提供されるゴルフクラブヘッドは、クラブもしくはクラブヘッドの特定のパフォーマンス変数、パフォーマンスパラメータ、またはパフォーマンス特性に実質的に変化がないこと、および／あるいは他のパフォーマンス変数、パフォーマンスパラメータ、またはパフォーマンス特性に特定の変化があることを確実にする、設計局面を組み込む。図41Bに示すように、小売陳列350において販売用に提供されるゴルフクラブは四つしか存在しない。第一のゴルフクラブ352は、シニア（A）フレックスを有するシャフト、ならびに本発明の局面のクラブヘッドおよび調節部材を有する。第二のゴルフクラブ354は、レギュラー（R）フレックスを有するシャフト、ならびに本発明の局面のクラブヘッドおよび調節部材を有する。第三のゴルフクラブ356は、スティッフ（S）フレックスを有するシャフト、ならびに本発明の局面のクラブヘッドおよび調節部材を有する。第四のゴルフクラブ358は、エクストラスティッフ（X）フレックスを有するシャフト、ならびに本発明の局面のクラブヘッドおよび調節部材を有する。
【０１３９】
図41Bに示す各クラブヘッドは調節部材を含むことができ、調節部材によって、ゴルフクラブがベースロフト角から所望の残りのロフト角に（たとえば10.5度から8.5度、9.5度、11.5度、または12.5度に）調節される一方で、他のクラブまたはクラブヘッドパラメータは特定の範囲内で実質的に一定にとどまる。そこで、本発明の局面によれば、図41Bに示し、本発明に記載のゴルフクラブヘッドおよび調節部材を利用する小売陳列350が、図41Aに示す先行技術の小売陳列300に取って代わることができる。本発明の局面を利用することで、図35Bは、図41Aに示す先行技術モデルの小売陳列よりもゴルフクラブが16本少ない小売陳列350を含む。
【０１４０】
本発明の別の局面において、図42Aは、ゴルフクラブドライバのモデルに関するサンプル選択肢、小売提供形態、または小売陳列400の先行技術モデルを示す。図42Aに示すように、小売陳列400は、五つの異なるロフト角410を有するゴルフクラブドライバを含み、これらのロフト角としてはロフト角8.5度411、9.5度412、10.5度413、11.5度414、および12.5度415が挙げられる。また、小売陳列400は、各ロフト角構成410内で、四つの異なるシャフトフレックス構成420を有するゴルフクラブドライバを含み、これらの構成としてはシニア（A）フレックス、レギュラー（R）フレックス、スティッフ（S）フレックス、またはエクストラスティッフ（X）フレックスといったシャフトフレックス420が挙げられる。異なる各ロフト角構成410および異なる各シャフトフレックス420内で、三つの異なるフェース角構成430、すなわちニュートラルフェース角、オープンフェース角、およびクローズドフェース角を有する三つのさらなるゴルフクラブドライバが存在する。ゴルフクラブモデルのこれらの例示的構成では、五つの異なるロフト角構成410および四つの異なるシャフトフレックス構成420および三つの異なるフェース角構成430を実現する60種の異なるゴルフクラブヘッドが存在しうる。
【０１４１】
図42Bは、ゴルフクラブドライバのモデルに関するサンプル選択肢、小売提供形態または小売陳列450の本発明の局面のモデルを示す。図示され、図42Bに示す小売提供形態450において提供されるゴルフクラブドライバは、本明細書に記載の調節部材を含むゴルフクラブを含み、調節部材は、ユーザーがロフト角とフェース角との両方を互いに独立して変化させることを可能にする。さらに、小売陳列450における販売用に提供されるゴルフクラブヘッドは、クラブもしくはクラブヘッドの特定のパフォーマンス変数、パフォーマンスパラメータ、またはパフォーマンス特性に実質的に変化がないこと、および／あるいは他のパフォーマンス変数、パフォーマンスパラメータ、またはパフォーマンス特性に特定の変化があることを確実にする、本明細書に記載の設計局面を組み込む。図42Bに示すように、小売陳列450において販売用に提供されるゴルフクラブは四つしか存在しない。第一のゴルフクラブ452は、シニア（A）フレックスを有するシャフト、ならびに本発明の局面のクラブヘッドおよび調節部材を有する。第二のゴルフクラブ454は、レギュラー（R）フレックスを有するシャフト、ならびに本発明の局面のクラブヘッドおよび調節部材を有する。第三のゴルフクラブ456は、スティッフ（S）フレックスを有するシャフト、ならびに本発明の局面のクラブヘッドおよび調節部材を有する。第四のゴルフクラブ458は、エクストラスティッフ（X）フレックスを有するシャフト、ならびに本発明の局面のクラブヘッドおよび調節部材を有する。
【０１４２】
図42Bに示す各クラブヘッドは調節部材を含むことができ、調節部材によって、ゴルフクラブがベースロフト角から所望の残りのロフト角に（たとえば10.5度から8.5度、9.5度、11.5度、または12.5度に）調節される一方で、他のクラブまたはクラブヘッドパラメータは特定の範囲内で実質的に一定にとどまる。さらに、各クラブヘッドは第二の調節部材を含むことができ、第二の調節部材は、ベースフェース角から所望の残りのフェース角に（たとえばニュートラスフェース角からクローズドフェース角またはオープンフェース角に）ゴルフクラブを調節することを可能にする。そこで、本発明の局面によれば、図42Bに示し、本発明に記載のゴルフクラブヘッドおよび調節部材を利用する小売陳列450が、図42Aに示す先行技術の小売陳列400に取って代わることができる。本発明の局面を利用することで、図42Bは、図42Aに示す先行技術モデルの小売陳列よりもゴルフクラブが54本少ない小売陳列450を含む。
【０１４３】
図43は、ゴルフクラブの小売販売業者に在庫選択肢を提供する、本発明の局面の方法の流れ図500を示す。図43に示すように、本方法は一つまたは複数の以下の工程を含みうる。1）ボディ510を有するゴルフクラブヘッドを設ける工程、2）ボディ520に操作可能に接続されるように構成された調節部材を設ける工程、3）異なるシャフト530より選択されるシャフトを設ける工程、および4）ゴルフクラブヘッドと調節部材およびシャフト540とを組み立てることでゴルフクラブを形成する工程。調節部材は、ユーザーが他のパラメータ、または特性と独立して第一のパラメータを変化させることを可能にしうる。同様に、ゴルフクラブヘッドは、クラブもしくはクラブヘッドの特定のパフォーマンス変数、パフォーマンスパラメータ、またはパフォーマンス特性に実質的に変化がないこと、および／あるいは他のパフォーマンス変数、パフォーマンスパラメータ、またはパフォーマンス特性に特定の変化があることを確実にする、設計局面を組み込むことができる。
【０１４４】
本発明の別の局面において、ゴルフクラブの小売販売業者に在庫選択肢を提供するための図43に示す方法は、ボディに操作可能に接続された第二の調節部材を設ける工程を含んでもよい。第二の調節部材は、ユーザーが他のパラメータまたは特性と独立して第二のパラメータを変化させることを可能にしうる。同様に、ゴルフクラブヘッドは、クラブもしくはクラブヘッドの特定のパフォーマンス変数、パフォーマンスパラメータ、またはパフォーマンス特性に実質的に変化がないこと、および／あるいは他のパフォーマンス変数、パフォーマンスパラメータ、またはパフォーマンス特性に特定の変化があることを確実にする、設計局面を組み込むことができる。第二の調節部材が第一の調節部材に組み込まれてもよく、他のやり方でその一部となってもよく、ここで調節部材が第一のパラメータおよび第二のパラメータを独立して調節可能であることが理解されよう。
【０１４５】
本発明の別の局面において、製造業者はゴルフクラブ小売業者に、各ゴルフクラブタイプにつき一つのゴルフクラブヘッドが存在する三つのゴルフクラブタイプを提供することができる。ゴルフクラブヘッドとしてはドライバヘッド、フェアウェイウッドヘッド、およびハイブリッドヘッドを挙げることができる。さらに、ゴルフクラブヘッドの製造業者は、調節部材を含みうる各ゴルフクラブヘッドを提供することができ、ここで調節部材は、クラブもしくはクラブヘッドの特定のパフォーマンス変数、パフォーマンスパラメータ、またはパフォーマンス特性に実質的に変化がないこと、および／あるいは他のパフォーマンス変数、パフォーマンスパラメータ、またはパフォーマンス特性に特定の変化があることを確実にしながら、ユーザーがパラメータを他のパラメータまたは特性とは独立して変化させることを可能にしうる。さらに、製造業者は、所定の数のシャフト、および／またはシニア（A）フレックス、レギュラー（R）フレックス、スティッフ（S）フレックスもしくはエクストラスティッフ（X）フレックスといったシャフトフレックス420を含むがそれに限定されないシャフトフレックスを提供することができる。
【０１４６】
本発明の別の局面において、小売業者はユーザーへの販売用に、各ゴルフクラブタイプにつき一つのゴルフクラブヘッドが存在する三つのゴルフクラブタイプを提供することができる。ゴルフクラブヘッドとしてはドライバヘッド、フェアウェイウッドヘッド、およびハイブリッドヘッドを挙げることができる。さらに、小売業者は、各ゴルフクラブヘッドに調節部材を設けることができ、ここで調節部材は、クラブもしくはクラブヘッドの特定のパフォーマンス変数、パフォーマンスパラメータ、またはパフォーマンス特性に実質的に変化がないこと、および／あるいは他のパフォーマンス変数、パフォーマンスパラメータ、またはパフォーマンス特性に特定の変化があることを確実にしながら、ユーザーがパラメータを他のパラメータまたは特性とは独立して変化させることを可能にしうる。さらに、小売業者は、所定の数のシャフト、および／またはシニア（A）フレックス、レギュラー（R）フレックス、スティッフ（S）フレックス、もしくはエクストラスティッフ（X）フレックスといったシャフトフレックス420を含むがそれに限定されないシャフトフレックスを提供することができる。
【０１４７】
図44は、ゴルフクラブの販売業者、たとえば小売販売業者にゴルフクラブを提供し、そのようなゴルフクラブの発注を処理する、本発明の局面の方法の別の流れ図600を示す。図44に示すように、本方法は一つまたは複数の以下の段階を概して含みうる。1）ゴルフクラブヘッド610の選択に関する発注を受け取る段階、2）シャフト620の選択に関する発注を受け取る段階、3）ゴルフクラブヘッドの選択に関する発注と再構成可能／調節可能なゴルフクラブヘッド630の量とを相関させる段階、4）再構成可能／調節可能なゴルフクラブヘッドおよびシャフト640の選択を記載したファイルをプロセッサで生成する段階、ならびに5）ファイルをさらなる受注処理および受注履行650のために製造業者に送信する段階。
【０１４８】
ゴルフクラブヘッドを発注する段階に関して、たとえば小売販売業者は、ゴルフクラブヘッドの選択に関する発注を製造業者に送ることができる。通常、発注は、異なる構成を有する複数のゴルフクラブヘッドを指定する。例示的な一態様においては、異なるロフト角を有するドライバタイプゴルフクラブヘッドを指定する。発注は、8.5度のロフト角を有するドライバの量、9.5度のロフト角を有するドライバの量、10.5度のロフト角を有するドライバの量、11.5度のロフト角を有するドライバの量、および12.5度のロフト角を有するドライバの量を指定する。より高いまたは低いロフト角の構成を発注において指定可能であることが理解されよう。シャフトを発注する段階に関して、発注は、シニア（A）フレックス、レギュラー（R）フレックス、スティッフ（S）フレックス、またはエクストラスティッフ（X）フレックスを含むシャフトを指定可能である。
【０１４９】
クラブヘッドを指定する発注を、本明細書に記載の調節可能なゴルフクラブヘッドに対して相関させる。発注された様々なロフト付きのクラブヘッドの個々の量から合計量を決定する。次に、決定された総量に対応する調節可能なゴルフクラブヘッドの数を指定することで、発注をさらに処理する。同一数の調節部材も指定されており、調節部材をゴルフクラブヘッドの一部、または発注の別個の項目であると考えることができることが理解されよう。調節部材およびシャフトを有する調節可能なゴルフクラブヘッドの総量が指定された、発注の選択を記載するファイルを、プロセッサにおいて生成する。ファイルを発注に関するさらなる受注処理および受注履行のために製造業者に送信する。
【０１５０】
したがって、販売業者は、個々のロフト付きゴルフクラブヘッドを指定するゴルフクラブの選択を発注することができる。指定される個々のロフト付きゴルフクラブヘッドで発注を履行する代わりに、調節可能なゴルフクラブヘッドおよび調節部材の量で発注を履行する。個々のロフト付きゴルフクラブヘッドが独自のSKUをそれぞれ有しうる一方で、調節可能なゴルフクラブヘッドには単一の普遍的なSKUが割り当てられる。ゴルフクラブヘッドの調節可能性および構造を理由として、ロフト付きゴルフクラブヘッドの各所望量は、調節部材を適宜設定することで満たされる。本明細書に記載の方法が、フェアウェイウッド、ハイブリッド、およびアイアンを含む他のタイプのクラブヘッドに適用可能であることが理解されよう。したがって、クラブヘッド、たとえば3番ウッド、5番ウッドまたはハイブリッドの具体的構成向けに発注することができ、受注は本明細書に記載の調節可能なゴルフクラブヘッドによって履行することができる。さらに、クラブヘッドを特定の販売向けに適宜調節可能であるという理解に基づいて、調節可能なゴルフクラブヘッドの総量を発注により最初に指定することができることが理解されよう。また、発注により、複数の異なるフェース角などの他のパラメータを指定するゴルフクラブヘッドの量を指定することができる。また、上記の説明、および本明細書において提供される構造に一致したそのような発注を履行するために、調節可能なゴルフクラブヘッドを使用することもできる。
【０１５１】
図44に示す方法は、ゴルフクラブヘッドのコンポーネントまたはパーツの一つまたは複数の製造業者が、コンポーネントまたはパーツを組立場所に輸送する段階を含んでもよい。さらに、図44に示す方法は、組立場所の後に、完成した調節可能なクラブヘッドをさらなる販売および流通用に小売コンポーネントに輸送する段階を含んでもよい。
【０１５２】
様々な態様に関する以上の説明においては、本明細書の一部を形成し、かつ実施可能な本開示の様々な態様が実例として示されている、添付図面、システム、プロセッサおよびコンピュータを参照する。他の態様を利用することができることを理解すべきである。
【０１５３】
図45Aは、上記の様々な方法に関して本開示の一つまたは複数の例示的局面を実行するために使用可能なネットワークアーキテクチャの一例を示す。様々なネットワークノード702、704、および706をインターネットなどのワイドエリアネットワーク（WAN）701経由で相互接続することができる。さらに、様々なデータベースを各ノードに接続することができ、たとえばデータベース707をノード704に操作可能に接続することができる。プライベートイントラネット、企業内ネットワーク、LAN、無線ネットワーク、セルラーネットワーク、パーソナルネットワーク（PAN）などを含む他のネットワークを同様にまたは代わりに使用することができる。ネットワーク701は例示を目的としており、さらに少ないあるいはさらに多いコンピュータネットワークで置き換えてもよい。ローカルエリアネットワーク（LAN）は、一つまたは複数の任意の公知のLANトポロジーを有し得、一つまたは複数の多様な異なるプロトコル、たとえばイーサネット（登録商標）を使用することができる。ネットワークノードは、ツイストペア線、同軸ケーブル、光ファイバー、電波、または他の通信媒体を経由して一つまたは複数のネットワークに接続可能な装置であってもよい。
【０１５４】
本明細書において使用され、図面に示される「ネットワーク」という用語は、遠隔記憶装置が一つまたは複数の通信路を経由して一緒に結合しているシステムを意味するだけでなく、記憶能力を有するそのようなシステムに時々結合しうるスタンドアローン装置も意味する。したがって、「ネットワーク」という用語は、「物理ネットワーク」を含むだけでなく、すべての物理ネットワークにわたって存在する、単一の実体に帰するデータで構成される「コンテンツネットワーク」も含む。
【０１５５】
ノード702、704、および706に取り付け可能な装置またはコンポーネントとしてはコンピュータ、サーバ、データベース、携帯電話、携帯情報端末、およびユーザーコンピュータが挙げられる。携帯電話および携帯情報端末をセルラーネットワーク（図示せず）経由でWAN 701に接続することができる。当業者は、移動端末、パーソナルビデオレコーダ、ポータブルもしくは固定テレビ、パーソナルコンピュータ、デジタルカメラ、デジタルビデオカメラ、ポータブルオーディオ機器、ポータブルもしくは固定アナログラジオまたはデジタルラジオ、あるいはこれらの組み合わせなどの他のネットワーク対応装置をWAN 701に接続して、本開示の様々な局面で利用してもよいことを認識するであろう。
【０１５６】
ノード702、704、および706は、スポーツ用品店などの小売場所に見られるノードでありうる。ノード702、704、および706に接続される様々な装置が、小売場所の従業員または顧客による発注入力を可能にしうる。さらに、ノード702、704および706は、店内従業員が製造業者からさらなる在庫または商品を発注することを可能にしうる。
【０１５７】
ノード712、714、および716は、受注処理センターまたは受注処理場所のノードを表しうる。受注処理センターは、数多くの小売場所からの発注を受け取り、様々な小売チェーンまたは小売店についてそのような受注を大量に処理することができる。ノード712、714、および716に取り付け可能な装置またはコンポーネントとしては、コンピュータ、サーバ、またはデータベースを挙げることができる。これらの装置は、同様の商品に関する発注を一緒に組み合わせて、商品の配送に関してネットワーク718経由で様々な製造業者と通信することができる。さらに、カスタム製品を受注処理センターにおいて処理し、受注履行のために特定の製造業者に直接転送することができる。図45Aは一つの製造業者の場所を示すが、当業者であれば、数多くの製造業者の場所をネットワーク718経由で受注処理センターに接続することができることを認識するであろう。図45Aに示すように、製造業者の各場所は、コンピュータ、サーバ、およびデータベースを含む様々な計算装置が取り付けられたノード720、722、および724などの数多くのノードを含みうる。
【０１５８】
図45Bは、小売場所のノード、受注処理センターのノード、および／または製造業者の場所のノードに接続された装置のコンピュータ、サーバおよび／またはデータベースに見ることができる様々なコンポーネントを示す。たとえば、受注処理センターのノード712に接続されたサーバは、受注処理サーバの動作全体を制御するためのプロセッサ802を含みうる。受注処理サーバはメモリ804、ネットワークインターフェース806、および入力／出力インターフェース808（たとえばキーボード、マウス、ディスプレイ、プリンタなど）をさらに含みうる。入力／出力インターフェース808は、データまたはファイルを読み取り、書き込み、表示しかつ／または印刷するための多様なインターフェースユニットおよびドライブを含みうる。メモリ804は、受注処理サーバの動作全体を制御するためのオペレーションシステムソフトウェア810、ならびに本開示の局面に関して使用しても使用しなくてもよい二次的支援および／または他の機能を提供する他のアプリケーションソフトウェア812をさらに含みうる。
【０１５９】
本開示の一つまたは複数の局面を、コンピュータが使用可能もしくは読み取り可能なデータ、および／またはコンピュータが実行可能な指示、たとえば、本明細書に記載の一つまたは複数のコンピュータあるいは他の装置により実行される一つまたは複数のプログラムモジュールにおいて具現化することができる。一般に、プログラムモジュールとしては、コンピュータまたは他の装置中でプロセッサにより実行される際に特定のタスクを行うかまたは特定の抽象データ型を実施する、ルーチン、プログラム、オブジェクト、コンポーネント、データ構造などが挙げられる。モジュールは、続いて実行用にコンパイルされるソースコードプログラミング言語で書かれてもよく、HTMLまたはXMLなどの（但しこれらに限定されない）スクリプト言語で書かれてもよい。コンピュータ実行可能な命令はハードディスク、光ディスク、リムーバブル記憶媒体、固体メモリ、RAMなどのコンピュータ可読媒体上に記憶させることができる。当業者が認識するように、様々な態様において所望のようにプログラムモジュールの機能を組み合わせるかまたは分配することができる。
【０１６０】
以上に記載の段階は、図45Aおよび図45Bの一つまたは複数のコンポーネント、ならびに／あるいは他の計算装置を含む他のコンポーネントによって実施することができる。
【０１６１】
本発明のさらなる局面は、ゴルフクラブの一つまたは複数のコンポーネントをキットとして発売、販売、製造または利用することに関する。少なくとも調節部材を含むキットに、一つまたは複数のヘッド、一つまたは複数のシャフト、および一つまたは複数の調節部材のなかから選択することによりゴルフクラブを構築するための説明書を備え付けることができる。さらに、シャフト、クラブヘッドおよび／または調節部材は、クラブヘッドに対して（たとえばその打球面に対して）シャフトの角度または位置の調節が可能になり、それによりロフト角（または任意の他のパラメータ）の調節が可能になる一方で、他の特定のパラメータが三つ以上のロフトという特定の範囲にわたって実質的に一定にとどまるように、構築することができる。ロフト角は、ゴルフクラブコンポーネントを回転させ、並進させ、または交換することで調節することができる。ロフト角は、クラブヘッドまたはクラブが基準位置に向いた水平面から少なくとも45度の向きの軸の周りにゴルフクラブコンポーネントを回転させることで調節することができる。調節を行うための、および／または調節に関してクラブの特性の情報を詳述するための説明書を、本発明の態様の一つまたは複数のキットの一部として提供してもよい。各キットに利用可能な個々のコンポーネントの選択は、エンドユーザーが「n」個のシャフトおよび「x」個のクラブヘッドモデルの選択肢から一つのシャフトおよび一つのクラブヘッドモデルを選択することを可能にすることができ、ここでユーザーには、各構成間の唯一の相違がロフト角、シャフトタイプおよびヘッドタイプである少なくとも3*n*x個の異なるクラブ構成が利用可能であり、一方、クラブおよび／またはクラブヘッドのすべての他の変数は、上記で教示された原理に従って実質的に変化せずにとどまる。
【０１６２】
利点
本発明の態様は、ゴルフ業界、およびゴルフ業界の異なる関係者に多くの利点を提示する。ゴルフ製造業者、ならびにゴルフ流通業者およびゴルフ用具小売販売業者は、本明細書に記載される多くの利点を認識するであろう。さらに、ゴルファーは、現行のゴルフ用具、システムおよび方法によって以前に提供されなかった利点を経験するであろう。ゴルフ業界全体の関係者が特定の利点を経験するであろう一方で、特定の利点はゴルフ業界の特定の関係者に特殊のものでありうることが理解されよう。
【０１６３】
第一に、ゴルフクラブの製造業者、流通業者および／または小売業者は、本発明の態様によって在庫管理および在庫制御が向上することがわかるであろう。上述のように、本発明の態様では、ゴルフクラブの他の特定のパラメータを変化させることなく調節範囲にわたって調節可能な、ロフト角などの調節可能な基準パラメータを有する、ゴルフクラブが記載されている。たとえば、ゴルフクラブヘッドのそのような性質を理由として、製造業者、流通業者および／または販売業者は、個々に異なるデザインインされたロフト角を有する複数の（五つ以上の）従来のゴルフクラブヘッドを必要とすることに比べれば、ロフト角を調節可能な本発明の一つのゴルフクラブヘッドのみの在庫を維持すればよい。在庫のこの減少によって、在庫管理および在庫制御のシステムが劇的に改善および向上すると共に、手元の在庫が少なくなり、保管空間の要件が減少し、在庫管理に関連する固定費が著しく減少する。一つのゴルフクラブヘッドのみが必要であればよく、複数の従来のゴルフクラブヘッドを交換可能でありうるということから、在庫管理および在庫制御のシステムは、ゴルフクラブの製造業者、流通業者および小売業者にとって向上しかつ改善されたものとなる。
【０１６４】
本発明の態様は、在庫管理および在庫制御のシステムを向上させるという利点に関連して、最小在庫管理単位またはSKUの数を減少させることにも役立つ。ゴルフクラブの他の特性またはパラメータが変化しない、調節可能なロフト角を有する一つのゴルフクラブヘッドしか必要ではないことにより、ゴルフクラブヘッドのSKUの数は大きく減少する。たとえば、従来のゴルフクラブヘッドを使用する場合、8.5度のロフト、9.5度のロフト、10.5度のロフト、11.5度のロフト、および12.5度のロフトなどの複数のロフト角を有するゴルフクラブヘッドが必要である。通常、異なるデザインインされたロフト角値を有する各クラブヘッドには、異なるSKUが割り当てられる。従来のゴルフクラブヘッド製造業者、流通業者および／または販売業者がロフト角ごとに五つの異なるゴルフクラブヘッドを必要としうる一方で、本発明の態様を利用するゴルフクラブヘッド製造業者、流通業者および／または販売業者は、調節可能なロフト角を有する一つのゴルフクラブヘッドのみを必要としうる。本発明の態様に記載の調節可能なロフト角を有するゴルフクラブヘッドを利用することで、SKUの数を約五倍または少なくとも五倍減少させることができる。個々の異なったゴルフクラブヘッドの減少によりSKUの数が減少することで、在庫のより効率的な管理が可能になる。
【０１６５】
さらに、本発明の態様を利用するゴルフクラブ製造業者はクラブヘッドの工作機械設置に関する経費節減という利点を認識するであろう。本発明の態様では、ゴルフクラブ製造業者は各ロフト付きクラブ用の別々の工作機械、たとえば8.5度のクラブヘッド用工作機械、9.5度のクラブヘッド用工作機械、10.5度のクラブヘッド用などをもはや必要としない。本発明の態様のゴルフクラブヘッドを利用することで、ベース基準クラブヘッドにつき一つの工作機械しか必要にならない。たとえば、ゴルフクラブ製造業者は、たとえば10.5度のロフトがベースロフトクラブまたは基準ロフトクラブとして選択された場合、10.5度のクラブヘッドにつき一つの工作機械のみを必要としうる。基準ロフトおよび調節部材を有するゴルフクラブヘッドを使用することで、様々な構成の完全なクラブ選択肢における他の必要なロフト付きクラブが、そのような他のロフト付きクラブ用の工作機械の必要性を排除しながら得られる。
【０１６６】
さらに、本発明の態様は、製造業者の研究および設計のプロセス全体のいくつかの局面を向上させる。たとえば、ゴルフクラブ設計者にとっては、別々に設計すべき個々のゴルフクラブヘッドの数が減少する。たとえば、基準ロフトを有する単一の調節可能なゴルフクラブヘッドを設計することができる。他のタイプのクラブについて同様に、基準ロフトを有する単一の調節可能なゴルフクラブヘッドフェアウェイウッドを設計することができ、かつ、基準ロフトを有する単一の調節可能なゴルフクラブヘッドハイブリッドを設計することができる。減少した数のゴルフクラブヘッド、たとえば単一のドライバ、単一のフェアウェイウッドおよび単一のハイブリッドに設計上の努力を集中させることができる。これにより、設計者が必要とするコンピュータ支援設計時間の量も減少し、経費節減が得られる。説明したように、これにより必要な工作機械の数も減少し、機械加工時間も減少して、さらなる経費節減が得られる。
【０１６７】
説明したように、本発明の態様は、個々にデザインインされた構成を有する複数のゴルフクラブヘッド、たとえば異なるデザインインされたロフト角を有する複数のクラブヘッドを交換するための単一の調節可能なゴルフクラブヘッドを提供する。そのような特徴は様々な他の利点を提供する。たとえば、ゴルフクラブ製造業者は左利き用のゴルフクラブの完全な選択肢をより容易に提供することができる。左利き用ゴルフクラブに対する要求が減少することから、通常、選択肢は限定的なものである。いずれも様々な構成を有する、ドライバ、フェアウェイウッドおよびハイブリッドを含む、左利き用ゴルフクラブの完全な選択肢を、本発明によって今や提供することができる。説明したように、本発明の原理はゴルフクラブアイアンにも当てはまる。ゴルフクラブアイアンの完全なセットを設計および提供することを、今や減少した数のゴルフクラブアイアンヘッドによって完了することができる。さらに、必要な個々のヘッド設計の数が減少することから、完全なゴルフクラブセット、たとえばウッドおよびアイアンを設計することはより容易になる。
【０１６８】
さらに、これらの特徴は、ゴルフクラブ製造業者とゴルフクラブ用具販売業者との間の販売プロセスの効率向上につながる。発注には、様々な異なるロフト角などの様々な個々のデザインインされた構成を有するすべての異なるゴルフクラブヘッドの具体的な量はもはや必要ではない。代わりに、すべての様々な異なる構成を網羅する単一の調節可能なゴルフクラブヘッドを特定の量で発注することができる。これにより、ゴルフクラブ製造業者が顧客からの発注をより良く予測することも可能になる。
【０１６９】
また、ゴルフクラブ製造業者は、ゴルファーに対する様々なタイプのゴルフクラブフィッティングのためのゴルフクラブサンプルおよび関連用具を提供する。ツアープロフェッショナルにカスタムフィッティングゴルフクラブをフィッティングするために、移動式用具車両がしばしば使用される。そのような車両は、同一量の選択肢を提供しながら、減少した量の用具を今や備えうる。さらに、ゴルフクラブサンプルを有する「デモゴルフバッグ」が、消費者に商品を販売する上での仕様のために小売業者にしばしば提供される。また、デモゴルフバッグは、クラブの選択肢を犠牲にすることなく、減少した量のサンプルクラブを備えることができる。
【０１７０】
ゴルフ流通業者および／またはゴルフ用具小売業者も、本発明の様々な態様による多くの利点を経験する。ゴルフ製造業者に関して説明したように、複数のゴルフクラブヘッドが、本明細書に記載のように調節可能な減少した数のゴルフクラブヘッドによって交換されることから、小売業者も在庫をより効率的に管理することができる。小売業者もそれぞれのシステムにおいてSKUの減少を経験する。これにより、ゴルフクラブの正確なモデル、タイプ、構成および全体量を輸送する上での誤差も減少しうる。さらに、発注の一部となる必要がある個々の異なったクラブヘッドの数が少なくなり、かつ発注すべき各クラブヘッドの量を決定することがより容易になることから、発注プロセスはより容易になる。ドライバ、フェアウェイウッド、ハイブリッド、アイアンおよびパターなどの様々な異なるタイプのクラブ向けの異なる構成に適合するようにクラブヘッドを調節可能であることから、より大量の単一のクラブヘッドを発注することができる。また、これにより、単一の調節可能なクラブヘッドで様々な構成を実現可能であることから、小売業者において様々なクラブ構成の在庫が尽きてしまう可能性が減少するという利点が得られる。結果として、著しい量の在庫が主要販売シーズンの後に売れ残る可能性が減少する。通常、そのような売れ残り在庫は、著しく減少した価格でクリアランスアイテムとして販売される。
【０１７１】
また、小売業者はカスタムゴルフクラブフィッティングサービスを提供することができる。本発明の様々な態様を使用することで、さらなる柔軟性がフィッターにより実現される。異なるタイプのクラブヘッドがいずれも調節可能でありうることから、フィッティングを特定のゴルファー向けにより微細に調整することができる。ギャップフィッティングは、本発明の原理を使用して改善可能な特定の一分野である。ゴルファーがローアイアンクラブ（たとえば1番〜4番アイアン）を交換しようとする場合、特定のクラブをゴルファーがどれほど遠くまで打つかに基づいて、本明細書に記載の調節可能なフェアウェイウッドまたは調節可能なハイブリッドを選択することができる。ゴルファーは、所望の特定の距離を微調整またはダイヤルインするために様々なロフトでそのタイプのクラブを打つことができる。
【０１７２】
また、小売業者は、購入決定を行う上で顧客が吟味するための様々な製品陳列を小売業者の場所において有する。本明細書に記載のように、複数のゴルフクラブヘッドを単一のゴルフクラブヘッドに交換可能であることから、製品陳列はよりすっきりとし、顧客に対してより視覚的に訴求力のあるものになる。そのような陳列が必要とする設置面積がより小さくなることから、通常は限られている売場面積を製造業者からのさらなる製品用に小売業者が使用することが可能になる。
【０１７３】
さらに、本発明の態様のゴルフクラブおよびゴルフクラブヘッドのユーザーは、クラブヘッド調節の向上に関するさらなる利点を見出すことができる。たとえば、従来のゴルフクラブおよびゴルフクラブヘッドでは、ユーザーが10.5度のロフトクラブを購入する場合、異なるロフト角を有する別のゴルフクラブを購入する以外にゴルフクラブのロフトを変化させる可能性がないということがある。調節可能なロフト角を有するゴルフクラブでは、ユーザーがクラブヘッドを購入した後で、ユーザーがゴルフクラブのロフトを変化させることが可能でありうることから、ユーザーには向上したクラブヘッド調節を行う能力が与えられる。フェース角またはライ角などの第二のパラメータをさらに独立して調節する能力によって、ユーザーエクスペリエンスおよび在庫管理がさらに向上する。調節が容易に行われることから、そのようなシステムによってゴルファーは即時に満足感を得る。また、ゴルファーは、各ゴルファー個人向けにより微細に調整可能なゴルフクラブフィッティングによる利点を享受する。任意のセッティングまたは構成のゴルフクラブヘッドのパフォーマンスは、パフォーマンスパラメータまたは特定のパラメータの上記で証明された整合性の結果として、損なわれたり悪影響を受けたりすることはない。
【０１７４】
さらに、本発明のゴルフクラブシステムの態様によって、ゴルファーがゴルフクラブ選択を行う上でのより重点的かつ容易な環境が提供される。単一のベースゴルフクラブヘッドおよび調節部材が最初に選択された後で、特定のゴルファーのゲームに最適な特定のシャフトおよびグリップが選択される。ゴルフクラブヘッドの他のパフォーマンスパラメータに影響を与えずに調節を容易に行うことができることから、ゴルファーは、特定のロフト付きクラブを選択する上でためらいを経験する必要はない。
【０１７５】
結語
本発明を実施する好ましい形態を含む具体例に関して本発明を詳細に説明したが、当業者は、上記システムおよび方法の数多くの変形および入れ替えがあることを理解するであろう。したがって、本発明の真意および範囲は、特許請求の範囲に述べられるように広義に解釈されるべきである。
【図１】
0006030756.tif 000012
【図２】
0006030756.tif 000013
【図３】
0006030756.tif 000014
【図４】
0006030756.tif 000015
【図５】
0006030756.tif 000016
【図６】
0006030756.tif 000017
【図７】
0006030756.tif 000018
【図８】
0006030756.tif 000019
【図９Ａ】
0006030756.tif 000020
【図９Ｂ】
0006030756.tif 000021
【図１０】
0006030756.tif 000022
【図１１】
0006030756.tif 000023
【図１２】
0006030756.tif 000024
【図１３Ａ】
0006030756.tif 000025
【図１３Ｂ】
0006030756.tif 000026
【図１４Ａ】
0006030756.tif 000027
【図１４Ｂ】
0006030756.tif 000028
【図１５】
0006030756.tif 000029
【図１６Ａ】
0006030756.tif 000030
【図１６Ｂ】
0006030756.tif 000031
【図１７】
0006030756.tif 000032
【図１８】
0006030756.tif 000033
【図１９Ａ】
0006030756.tif 000034
【図１９Ｂ】
0006030756.tif 000035
【図１９Ｃ】
0006030756.tif 000036
【図１９Ｄ】
0006030756.tif 000037
【図１９Ｅ】
0006030756.tif 000038
【図２０】
0006030756.tif 000039
【図２１Ａ】
0006030756.tif 000040
【図２１Ｂ】
0006030756.tif 000041
【図２２Ａ】
0006030756.tif 000042
【図２２Ｂ】
0006030756.tif 000043
【図２２Ｃ】
0006030756.tif 000044
【図２２Ｄ】
0006030756.tif 000045
【図２３Ａ】
0006030756.tif 000046
【図２３Ｂ】
0006030756.tif 000047
【図２３Ｃ】
0006030756.tif 000048
【図２３Ｄ】
0006030756.tif 000049
【図２３Ｅ】
0006030756.tif 000050
【図２４Ａ】
0006030756.tif 000051
【図２４Ｂ】
0006030756.tif 000052
【図２５】
0006030756.tif 000053
【図２６】
0006030756.tif 000054
【図２７】
0006030756.tif 000055
【図２８】
0006030756.tif 000056
【図２９】
0006030756.tif 000057
【図３０】
0006030756.tif 000058
【図３１Ａ】
0006030756.tif 000059
【図３１Ｂ】
0006030756.tif 000060
【図３１Ｃ】
0006030756.tif 000061
【図３１Ｄ】
0006030756.tif 000062
【図３１Ｅ】
0006030756.tif 000063
【図３２Ａ】
0006030756.tif 000064
【図３２Ｂ】
0006030756.tif 000065
【図３２Ｃ】
0006030756.tif 000066
【図３３Ａ】
0006030756.tif 000067
【図３３Ｂ】
0006030756.tif 000068
【図３４Ａ】
0006030756.tif 000069
【図３４Ｂ】
0006030756.tif 000070
【図３５Ａ】
0006030756.tif 000071
【図３５Ｂ】
0006030756.tif 000072
【図３５Ｃ】
0006030756.tif 000073
【図３６Ａ】
0006030756.tif 000074
【図３６Ｂ】
0006030756.tif 000075
【図３６Ｃ】
0006030756.tif 000076
【図３７】
0006030756.tif 000077
【図３８Ａ】
0006030756.tif 000078
【図３８Ｂ】
0006030756.tif 000079
【図３８Ｃ】
0006030756.tif 000080
【図３９Ａ】
0006030756.tif 000081
【図３９Ｂ】
0006030756.tif 000082
【図３９Ｃ】
0006030756.tif 000083
【図４０】
0006030756.tif 000084
【図４１Ａ】
0006030756.tif 000085
【図４１Ｂ】
0006030756.tif 000086
【図４２Ａ】
0006030756.tif 000087
【図４２Ｂ】
0006030756.tif 000088
【図４３】
0006030756.tif 000089
【図４４】
0006030756.tif 000090
【図４５Ａ】
0006030756.tif 000091
【図４５Ｂ】
0006030756.tif 000092